(57)【要約】  リール式張力装置は、ハウジング（１０２）と、ハウジング内に回転可能に配置されたスプール（１４０）と、スプールをハウジング内で第１の方向に回転させて引張部材をスプールの周りに巻き付けるために、スプールと動作可能に結合されたノブ部材（１７０）とを含む。リール式張力装置は、スプールに結合され、ハウジング内で第１の方向に回転し、スプールの第２の方向への回転を防止してスプールの周りから引張部材の巻き戻しを防止するように構成された荷重保持機構（１２０）も含む。リール式張力装置は、ノブ部材の動作に応答して可聴ノイズを生成し、引張部材の調整を知らせるように構成された可聴コンポーネントを更に含む。【代表図】図１８
2020510476.tif 000002
【特許請求の範囲】
【請求項１】
引張部材と結合され、前記引張部材に張力をかけるように動作可能であるリール式張力装置用のインサート成形コンポーネントであって、
前記リール式張力装置のベース部材であって、ポリマー材料で作られており、上端部と底面を備えた下端部とを有し、前記リール式張力装置の１つ以上のコンポーネントがその中に配置可能である内部空洞を有する、ベース部材と、
前記ベース部材の前記底面と実質的に同一平面上にあり、かつ前記ベース部材の前記下端部の外周の少なくとも一部から横方向に延びる布地材料であって、前記インサート成形コンポーネントが形成されるとき、前記布地材料は前記ベース部材の少なくとも一部内に配置され、前記ベース部材の前記少なくとも一部の前記ポリマー材料が前記布地材料の両側に配置されるように、前記布地材料を介して前記ポリマー材料を注入することにより、前記ベース部材が前記布地材料上にインサート成形される、布地材料と
を備える、インサート成形コンポーネント。
【請求項２】
前記ベース部材の前記内部空洞が、前記リール式張力装置のハウジングコンポーネントを受け入れるように構成されている、請求項１に記載のインサート成形コンポーネント。
【請求項３】
前記ベース部材は、前記リール式張力装置のハウジングコンポーネントであり、前記引張部材が前記ハウジングコンポーネントの内側部分から前記ハウジングコンポーネントの外側部分へ通過するように、前記ハウジングコンポーネントは入口および出口ポートを含み、前記引張部材はこれらを通って配置される、請求項１に記載のインサート成形コンポーネント。
【請求項４】
前記ベース部材は、前記布地材料上にインサート成形されるので、前記ベース部材の前記下端部全体の前記ポリマー材料が前記布地材料の両側に配置されるように、前記布地材料が前記ベース部材の前記下端部全体内に配置される、請求項１に記載のインサート成形コンポーネント。
【請求項５】
前記ベース部材の前記下端部の前記ポリマー材料は、前記布地材料の底面上に環状リングを形成する、請求項４に記載のインサート成形コンポーネント。
【請求項６】
前記ベース部材が少なくとも１つのより薄いポリマー材料セクションを含み、前記布地材料が前記ベース部材の前記より薄いポリマー材料セクションの上面に見える、請求項１に記載のインサート成形コンポーネント。
【請求項７】
前記ベース部材は、ガラス充填ポリプロピレン材料、コポリエステル材料、またはそれらの組合せで作られている、請求項１に記載のインサート成形コンポーネント。
【請求項８】
前記布地材料は靴に取り付け可能である、請求項１に記載のインサート成形コンポーネント。
【請求項９】
リール式張力システムのコンポーネントであって、
前記リール式張力システムの第１のコンポーネントであって、ポリマー材料で作られ、上端部、下端部、および前記リール式張力システムの第２のコンポーネントが配置可能な内部空洞を有する、第１のコンポーネントと、
前記第１のコンポーネントの前記下端部近くに配置され、かつ前記第１のコンポーネントの外周の少なくとも一部から横方向に延びる布地材料であって、前記第１のコンポーネントの少なくとも一部の前記ポリマー材料を前記布地材料を介して飽和または含浸させるように、および前記第１のコンポーネントの前記少なくとも一部の前記ポリマー材料が前記布地材料の底面の軸方向下方および前記布地材料の上面の軸方向上方に延びるように、前記第１のコンポーネントの前記ポリマー材料を前記布地材料を介して注入することにより前記第１のコンポーネントと一体的に結合される、布地材料と
を備えた、リール式張力システムのコンポーネント。
【請求項１０】
前記第１のコンポーネントはベース部材であり、前記ベース部材の前記内部空洞は、リール式張力装置のハウジングコンポーネントを受け入れるように構成される、請求項９に記載のコンポーネント。
【請求項１１】
前記第１のコンポーネントはガイド部材であり、前記内部空洞は、物品の経路の周りに前記引張部材をガイドするために、前記リール式張力システムの引張部材を受け入れるように構成される、請求項９に記載のコンポーネント。
【請求項１２】
前記第１のコンポーネントの前記下端部全体の前記ポリマー材料は、前記布地材料を介して飽和または含浸しているので、前記下端部全体の前記ポリマー材料は、前記布地材料の前記底面の軸方向下方および前記布地材料の前記上面の軸方向上方に延びる、請求項９に記載のコンポーネント。
【請求項１３】
前記第１のコンポーネントの前記下端部の前記ポリマー材料が、前記布地材料の前記底面上に環状リングを形成する、請求項１２に記載のコンポーネント。
【請求項１４】
前記布地材料は、前記布地材料の本体から横方向外側に延びる複数のタブを備え、前記タブの少なくとも１つは開口部を含む、請求項９に記載のコンポーネント。
【請求項１５】
前記布地材料は、前記第１のコンポーネントのかなり薄いセクションまたはセグメントの上面から見える、請求項９に記載のコンポーネント。
【請求項１６】
リール式張力システムのコンポーネントを形成する方法であって、
布地材料を提供するステップと、
ダイまたは金型内に前記布地材料を配置するステップと、
前記リール式張力システムの第１のコンポーネントの形状を画定する前記ダイまたは金型内の空隙または空間を埋めるように、前記布地材料を介してポリマー材料を注入するステップと、
前記ポリマー材料が硬化し、前記リール式張力システムの前記第１のコンポーネントを形成するように、前記ポリマー材料を冷却するステップと
を含み、
前記第１のコンポーネントの少なくとも一部の前記ポリマー材料は前記布地材料の底面の軸方向下方および前記布地材料の上面の軸方向上方に延びるように、前記第１のコンポーネントの前記少なくとも一部の前記ポリマー材料を前記布地材料を介して飽和または含浸させる、方法。
【請求項１７】
前記布地材料は前記ダイまたは前記金型の下端部内に配置され、前記ポリマー材料は前記ダイまたは前記金型の下端部から前記ダイまたは前記金型の上端部に向かって前記布地材料を介して注入される、請求項１６に記載の方法。
【請求項１８】
前記ポリマー材料は、前記布地材料を通して注入され、冷却されるので、底端部全体の前記ポリマー材料が前記布地材料の前記底面の軸方向下方に延び、前記布地材料の前記上面の軸方向上方に延びるように、前記第１のコンポーネントの前記底端部全体の前記ポリマー材料を前記布地材料を通して飽和または含浸させる、請求項１６に記載の方法。
【請求項１９】
前記ポリマー材料は、前記ポリマー材料が前記布地材料の前記底面の上部に環状リングを形成するように、前記布地材料を介して注入され、冷却される、請求項１８に記載の方法。
【請求項２０】
前記ポリマー材料は、ガラス充填ポリプロピレン材料、コポリエステル材料、またはそれらの組合せからなる、請求項１６に記載の方法。
【請求項２１】
前記ポリマー材料は、前記布地材料を介して注入され、冷却されて、前記ポリマー材料が前記第１のコンポーネントのかなり薄いセクションまたはセグメントの上面から見えるようになる、請求項１６に記載の方法。
【請求項２２】
リール式張力装置であって、
内部領域を有するハウジングと、
前記ハウジングの前記内部領域内に配置され、それに対して回転可能なスプールと、
前記スプールに動作可能に結合され、前記スプールを前記ハウジングの前記内部領域内で第１の方向に回転させて、引張部材を前記スプールの周りに巻き付け、それにより前記引張部材に張力をかけるノブ部材と、
前記スプールに結合され、前記ハウジングの前記内部領域内で前記スプールの前記第１の方向への回転を可能とし、前記ハウジングの前記内部領域内で前記スプールの第２の方向への回転を防止し、前記スプールの周りから前記引張部材が巻き戻されるのを防止するように構成された荷重保持機構と、
前記荷重保持機構とは別個であり、前記ノブ部材の動作に応答して可聴ノイズを生成し、前記引張部材の張力の調整を可聴的に知らせるように構成された可聴コンポーネントと
を備える、リール式張力装置。
【請求項２３】
前記荷重保持機構は、人間が検出可能な可聴ノイズを発生させない、請求項２２に記載のリール式張力装置。
【請求項２４】
前記可聴コンポーネントは、前記引張部材の張力に応答する可聴ノイズを生成し、前記引張部材の緩みに応答する可聴ノイズを生成するように構成される、請求項２２に記載のリール式張力装置。
【請求項２５】
前記引張部材の張力に応答する前記可聴ノイズは、前記引張部材の緩みに応答する前記可聴ノイズとは異なる、請求項２４に記載のリール式張力装置。
【請求項２６】
前記可聴コンポーネントは、前記ハウジングの歯と係合して可聴ノイズを生成するつめ部材またはビームを含む、請求項２２に記載のリール式張力装置。
【請求項２７】
前記つめ部材またはビームは、前記引張部材またはノブ部材を介してかなりの回転力が前記スプールに加えられたときに、前記ハウジングの前記内部領域内での前記スプールの回転を防止できない、請求項２６に記載のリール式張力装置。
【請求項２８】
前記可聴コンポーネントは、前記スプールの上面に結合される、請求項２２に記載のリール式張力装置。
【請求項２９】
前記荷重保持機構は、つめ部材またはビームを含まない、請求項２２に記載のリール式張力装置。
【請求項３０】
リール式張力装置であって、
ハウジングと、
前記ハウジング内に回転可能に配置されたスプールと、
前記スプールに動作可能に結合され、前記スプールを前記ハウジング内で第１の方向に回転させて引張部材を前記スプールの周りに巻き付けるノブ部材と、
前記スプールに結合され、前記ハウジング内で前記スプールの前記第１の方向への回転を可能とし、前記ハウジング内で前記スプールの第２の方向への回転を防止し、前記スプールの周りから前記引張部材が巻き戻されるのを防止するように構成された荷重保持機構と、
前記ノブ部材の動作に応答して可聴ノイズを生成して前記引張部材の調整を知らせるように構成された可聴コンポーネントと
を備える、リール式張力装置。
【請求項３１】
前記荷重保持機構は、人間の耳によって検出可能な可聴ノイズを生成しない、請求項３０に記載のリール式張力装置。
【請求項３２】
前記可聴コンポーネントは、前記引張部材の張力に応答する可聴ノイズを生成し、前記引張部材の緩みに応答する可聴ノイズを生成するように構成される、請求項３０に記載のリール式張力装置。
【請求項３３】
前記引張部材の張力に応答する前記可聴ノイズは、前記引張部材の緩みに応答する前記可聴ノイズとは異なる、請求項３２に記載のリール式張力装置。
【請求項３４】
前記可聴コンポーネントは、つめ部材またはビームを含む、請求項３０に記載のリール式張力装置。
【請求項３５】
前記つめ部材またはビームは、前記引張部材またはノブ部材を介してかなりの回転力が前記スプールに加えられたときに、前記ハウジング内の前記スプールの回転を防止できない、請求項３４に記載のリール式張力装置。
【請求項３６】
前記可聴コンポーネントは、前記スプールの上面に結合される、請求項３０に記載のリール式張力装置。
【請求項３７】
前記荷重保持機構は、つめ部材またはビームを含まない、請求項３０に記載のリール式張力装置。
【請求項３８】
リール式張力装置を構成する方法であって、
ハウジングと、
前記ハウジング内に回転可能に配置されたスプールと、
前記スプールに動作可能に結合され、前記スプールを前記ハウジング内で第１の方向に回転させて引張部材を前記スプールの周りに巻き付けるノブ部材と、
前記スプールに結合され、前記ハウジング内で前記スプールの前記第１の方向への回転を可能とし、前記ハウジング内で前記スプールの第２の方向への回転を防止し、前記スプールの周りから前記引張部材が巻き戻されるのを防止するように構成された荷重保持機構と
を含む前記リール式張力装置を提供するステップと、
可聴コンポーネントを前記リール式張力装置に結合するステップと
を含み、
前記可聴コンポーネントは、前記ノブ部材の動作に応答して可聴ノイズを生成し、前記引張部材の調整を知らせるように構成される、方法。
【請求項３９】
前記荷重保持機構は、人間の耳によって検出可能な可聴ノイズを生成しない、請求項３８に記載の方法。
【請求項４０】
前記可聴コンポーネントは、前記引張部材の張力に応答して可聴ノイズを生成し、前記引張部材の緩みに応答して可聴ノイズを生成するように構成される、請求項３８に記載の方法。
【請求項４１】
前記引張部材の張力に応答する前記可聴ノイズは、前記引張部材の緩みに応答する前記可聴ノイズとは異なる、請求項４０に記載の方法。
【請求項４２】
前記可聴コンポーネントは、前記ハウジングと係合して可聴ノイズを生成するつめ部材またはビームを含む、請求項３８に記載の方法。
【請求項４３】
前記つめ部材またはビームは、前記引張部材またはノブ部材を介してかなりの回転力が前記スプールに加えられたときに、前記ハウジング内の前記スプールの回転を防ぐことができない、請求項４２に記載の方法。
【請求項４４】
前記可聴コンポーネントによって生成される前記可聴ノイズを調整する、前記可聴コンポーネントを調整するステップを更に含む、請求項３８に記載の方法。
【請求項４５】
前記荷重保持機構は、つめ部材またはビームを含まない、請求項３８に記載の方法。
【請求項４６】
物品を締め付けるためのリール式張力装置であって、
内部領域を有するハウジングと、
前記ハウジングの前記内部領域内に配置され、それに対して回転可能なスプールと、
前記スプールを前記ハウジングの前記内部領域内で回転させるために、前記スプールと動作可能に結合されたノブ部材と、
前記スプールに結合された荷重保持機構であって、前記ノブ以外の源から前記スプールに加えられた力に応答して、前記ハウジングの前記内部領域内で前記スプールの回転を防止するために、円筒形部材と摩擦係合するばねを備える荷重保持機構と
を備え、
前記ノブは前記荷重保持機構と動作可能に結合されているため、
前記ノブを第１の方向へ回転させると、前記ばねと円筒形部材の前記摩擦係合が減少し、前記ハウジングの前記内部領域内で前記スプールの前記第１の方向への回転が可能となり、それにより引張部材が前記スプールの周りに巻き付けられ、
前記ノブを第２の方向に回転させると、前記ばねと円筒形部材の摩擦係合も減少し、前記ハウジングの前記内部領域内で前記スプールの前記第２の方向への回転が可能になり、それにより前記引張部材が前記スプールの周りから巻き戻される、リール式張力装置。
【請求項４７】
前記ばねは、ハブ部材の外側に巻き付けられたコイルばねであり、前記コイルばねは、前記ハブ部材の外面の周りに収縮することにより前記ハブ部材と摩擦係合する、請求項４６に記載のリール式張力装置。
【請求項４８】
前記ハブ部材は、前記スプールに固定された上部ハブ部材と、前記ハウジングに固定された下部ハブ部材とを備える、請求項４７に記載のリール式張力装置。
【請求項４９】
前記上部ハブ部材は、前記下部ハブ部材の直径よりもわずかに大きい直径を有する、請求項４８に記載のリール式張力装置。
【請求項５０】
前記上部ハブ部材の遠位端が前記下部ハブ部材と接合し、前記上部ハブ部材の前記遠位端が先細になっている、請求項４９に記載のリール式張力装置。
【請求項５１】
前記ハブ部材は内側ハブ部材であり、前記リール式張力装置は、前記内側ハブ部材上に配置され、かつ前記ノブ部材および前記ばねと動作可能に結合される外側ハブ部材を更に備えるため、前記ノブ部材が前記第２の方向に回転すると、前記ばねと前記内側ハブ部材との前記摩擦係合が減少する、請求項４７に記載のリール式張力装置。
【請求項５２】
前記外側ハブ部材は、前記ノブ部材が前記第２の方向に回転すると前記外側ハブが前記第２の方向へ回転するように前記ノブ部材と結合され、前記外側ハブ部材が前記第２の方向に回転すると前記ばねの直径が拡大し、それにより前記ばねと前記内側ハブ部材との前記摩擦係合が減少するように、前記ばねは前記外側ハブ部材と結合されるタングを含む、請求項５１に記載のリール式張力装置。
【請求項５３】
前記円筒形部材は円筒形チャネルまたは凹部を備え、前記ばねは、前記円筒形チャネルまたは凹部の内壁と摩擦係合するように半径方向外側に付勢されるコイルばねを備える、請求項４６に記載のリール式張力装置。
【請求項５４】
前記荷重保持機構は、人間が検出可能な可聴ノイズを発生させない、請求項４６に記載のリール式張力装置。
【請求項５５】
リール式張力装置であって、
ハウジングと、
前記ハウジング内に回転可能に配置されたスプールと、
前記スプールを前記ハウジング内で回転させるために、前記スプールと動作可能に結合されたノブ部材と、
前記ハウジング内の前記スプールの不要な回転を防止するために、円筒形部材と摩擦係合するばねを含む荷重保持機構と
を備え、
前記ノブ部材は、荷重保持機構と動作可能に結合されているため、
前記ノブ部材の第１の動作により、前記ばねと円筒形部材との前記摩擦係合が減少し、前記ハウジング内で前記スプールの回転が可能となり、引張部材が前記スプールの周りに巻き付けられ、
前記ノブ部材の第２の動作によりまた、前記ばねと円筒形部材の前記摩擦係合も減少し、前記ハウジング内で前記スプールの回転が可能となり、前記引張部材が前記スプールの周りから巻き戻される、リール式張力装置。
【請求項５６】
前記ばねは、ハブ部材の外側に巻き付けられたコイルばねであり、前記コイルばねは、前記ハブ部材の外面の周りで収縮することにより前記ハブ部材と摩擦係合する、請求項５５に記載のリール式張力装置。
【請求項５７】
前記ハブ部材は、前記スプールに固定された上部ハブ部材と、前記ハウジングに固定された下部ハブ部材とを備える、請求項５６に記載のリール式張力装置。
【請求項５８】
前記上部ハブ部材は、前記下部ハブ部材の直径よりもわずかに大きい直径を有する、請求項５７に記載のリール式張力装置。
【請求項５９】
前記上部ハブ部材の遠位端が前記下部ハブ部材と接合し、前記上部ハブ部材の前記遠位端が先細になっている、請求項５８に記載のリール式張力装置。
【請求項６０】
前記ハブ部材は内側ハブ部材であり、前記リール式張力装置は、前記内側ハブ部材上方に配置され、前記ノブ部材および前記ばねと動作可能に結合される外側ハブ部材を更に備え、前記ノブ部材が前記第２の方向に回転すると、前記ばねと前記内側ハブ部材との前記摩擦係合が減少する、請求項５６に記載のリール式張力装置。
【請求項６１】
前記外側ハブ部材は、前記ノブ部材が前記第２の方向に回転すると前記外側ハブが前記第２の方向に回転するように、前記ノブ部材と結合され、前記外側ハブ部材が前記第２の方向に回転すると前記ばねの直径が拡大し、それにより前記ばねと前記内側ハブ部材との前記摩擦係合が減少するように、前記ばねは前記外側ハブ部材と結合されるタングを含む、請求項６０に記載のリール式張力装置。
【請求項６２】
前記円筒形部材が円筒形チャネルまたは凹部を備え、前記ばねが、前記円筒形チャネルまたは凹部の内壁と摩擦係合するように半径方向外側に付勢されるコイルばねを備える、請求項５５に記載のリール式張力装置。
【請求項６３】
リール式張力装置を使用して物品を組み立てる方法であって、
ハウジングと、
前記ハウジング内に回転可能に配置されたスプールと、
前記スプールを前記ハウジング内で回転させるために、前記スプールと動作可能に結合されたノブ部材と、
前記ハウジング内の前記スプールの不要な回転を防止するために、円筒形部材と摩擦係合するばねを含む荷重保持機構と
を含む前記リール式張力装置を提供するステップであって、
前記ノブ部材は、前記荷重保持機構と動作可能に結合されているため、
前記ノブ部材の第１の動作により、前記ばねと円筒形部材との前記摩擦係合が減少し、前記ハウジング内で前記スプールの回転が可能となり、引張部材が前記スプールの周りに巻き付けられ、
前記ノブ部材の第２の動作によりまた、前記ばねと円筒形部材の前記摩擦係合も減少して、前記ハウジング内で前記スプールの回転が可能となり、前記引張部材が前記スプールの周りから巻き戻される、ステップと、
前記リール式張力装置を前記物品と結合するステップとを含む、方法。
【請求項６４】
前記ばねは、円筒形ハブ部材の外側に巻き付けられたコイルばねであり、前記コイルばねは、前記ハブ部材の外面の周りで収縮することにより前記ハブ部材と摩擦係合する、請求項６３に記載の方法。
【請求項６５】
前記ハブ部材は、前記スプールに固定された上部ハブ部材と、前記ハウジングに固定された下部ハブ部材とを備える、請求項６４に記載の方法。
【請求項６６】
前記上部ハブ部材は、前記下部ハブ部材の直径よりもわずかに大きい直径を有する、請求項６５に記載の方法。
【請求項６７】
前記上部ハブ部材の遠位端が前記下部ハブ部材と接合し、前記上部ハブ部材の前記遠位端が先細である、請求項６６に記載の方法。
【請求項６８】
前記ハブ部材は内側ハブ部材であり、前記リール式張力装置は、前記内側ハブ部材上に配置され、かつ前記ノブ部材が前記第２の方向に回転すると前記ばねと前記内側ハブ部材との前記摩擦係合が減少するように、前記ノブ部材および前記ばねと動作可能に結合される外側ハブ部材を更に備える、請求項６４に記載の方法。
【請求項６９】
前記外側ハブ部材は、前記ノブ部材が前記第２の方向へ回転すると前記外側ハブが前記第２の方向へ回転するように、前記ノブ部材と結合され、前記ばねは、前記外側ハブ部材が前記第２の方向へ回転すると前記ばねの直径の拡大をもたらし、それにより、前記ばねと前記内側ハブ部材との前記摩擦係合を減少させるように、前記外側ハブ部材と結合されるタングを含む、請求項６８に記載の方法。
【請求項７０】
前記円筒形部材が円筒形チャネルまたは凹部を備え、前記ばねが、前記円筒形チャネルまたは凹部の内壁と摩擦係合するように半径方向外側に付勢されるコイルばねを備える、請求項６３に記載の方法。
【発明の詳細な説明】
【技術分野】
【０００１】
関連出願の相互参照
[0001]本出願は、「摩擦ベースの張力メカニズムを採用したリール式閉鎖システム」というタイトルの、２０１７年３月１日に提出された仮米国特許出願番号６２／４６５，３４２の優先権を主張する。前述の仮米国特許出願の開示全体は、本明細書に完全に記載されているかのように、あらゆる目的のために参照により本明細書に組み込まれている。
【背景技術】
【０００２】
[0002]本開示は、装具、医療機器、靴、衣類、衣料品などの様々な物品のためのリール式閉鎖装置に関する。このような物品は、通常、物品を身体部分の周りに配置し、身体部分の周りで閉じたり締め付けたりすることができる閉鎖システムを含む。閉鎖システムは通常、身体部分の周りで物品を維持または固定するために使用される。例えば、靴は通常、個人の足の上に置かれ、靴ひもが張られて結ばれ、靴を足の周りで閉じて固定する。従来の閉鎖システムは、身体部分での物品の適合性および／または快適性を高める努力の中で修正されてきた。例えば、靴ひもの構成および／またはパターンは、靴を履く際のフィット感および／または快適性を高めるために修正されてきた。また、従来の閉鎖システムは、身体部分の周りで物品が閉じられて固定される時間を短縮する努力の中で修正されてきた。これらの変更により、様々なプルコード、ストラップ、および張力装置を使用して、物品をすばやく閉じて足に固定できるようになってきた。
【発明の概要】
【課題を解決するための手段】
【０００３】
[0003]本明細書で説明する実施形態は、ひもまたは引張部材に張力を与え、それによって物品または他の品物を締め付けるために使用することのできる、リール式張力装置、およびそのためのコンポーネントを提供する。一態様によれば、リール式張力装置用のインサート成形コンポーネントは、リール式張力装置のベース部材と布地材料とを含む。ベース部材は、典型的には、ポリマー材料で作られており、上端部と、底面を備えた下端部とを含む。ベース部材は、内部空洞を有し、その内部に、リール式張力装置の１つ以上のコンポーネントが配置可能である。布地材料は、ベース部材の底面と実質的に同一平面上にあり、ベース部材の下端部の外周の少なくとも一部から横方向に延びる。ベース部材は、布地材料を介してポリマー材料を注入することにより、布地材料上にインサート成形されるので、インサート成形コンポーネントが形成されるとき、布地材料はベース部材の少なくとも一部内に配置され、ベース部材の少なくとも一部のポリマー材料は布地材料の両側に配置される。
【０００４】
[0004]別の態様によれば、リール式張力システムのコンポーネントは、第１のコンポーネントを含み、それはポリマー材料で作られ、上端部、下端部、およびリール式張力システムの第２のコンポーネントを配置可能な内部空洞を含む。コンポーネントは、第１のコンポーネントの下端部付近に配置され、第１のコンポーネントの外周の少なくとも一部から横方向に延びる布地材料も含む。布地材料は、布地材料を介して第１のコンポーネントのポリマー材料を注入することにより、第１のコンポーネントと一体的に結合され、第１のコンポーネントの少なくとも一部のポリマー材料は布地材料を介して飽和または含浸し、第１のコンポーネントの少なくとも一部のポリマー材料は、布地材料の底面の軸方向下方および布地材料の上面の軸方向上方に延びる。
【０００５】
[0005]別の態様によれば、リール式張力システムのコンポーネントを形成する方法は、布地材料を提供すること、布地材料をダイまたは金型内に配置すること、およびリール式張力システムの第１のコンポーネントの形状を画定するダイまたは金型内の空隙または空間を埋めるように、布地材料を介してポリマー材料を注入することを含む。
この方法はまた、ポリマー材料が硬化して、リール式張力システムの第１のコンポーネントを形成するように、ポリマー材料を冷却することを含む。第１のコンポーネントの少なくとも一部のポリマー材料が布地材料の底面の軸方向下方および布地材料の上面の軸方向上方に延びるように、第１のコンポーネントの少なくとも一部のポリマー材料を布地材料を介して飽和または含浸させる。
【０００６】
[0006]別の態様によれば、リール式張力装置は、内部領域を有するハウジングと、ハウジングの内部領域内に配置され、それに対して回転可能なスプールとを含む。リール式張力装置はまた、スプールに動作可能に結合され、スプールをハウジングの内部領域内で第１の方向に回転させて引張部材をスプールの周りに巻き付け、それにより引張部材に張力をかけるノブ部材を含む。リール式張力装置は、荷重保持機構を更に含み、当該機構は、スプールと結合され、しかもハウジングの内部領域内でスプールの第１の方向への回転を可能とし、ハウジングの内部領域内でスプールの第２の方向への回転を防止して、引張部材がスプールの周りから巻き戻されるのを防止するように構成される。
リール式張力装置は、荷重保持機構とは別個であり、しかもノブ部材の動作に応答して可聴ノイズを生成して引張部材の張力の調整を可聴的に知らせるように構成された可聴コンポーネントを更に含む。
【０００７】
[0007]別の態様によれば、リール式張力装置は、ハウジングと、ハウジング内に回転可能に配置されたスプールと、スプールに動作可能に結合され、ハウジング内でスプールを第１の方向に回転させて引張部材をスプールの周りに巻き付けるノブ部材と、スプールに結合され、ハウジング内でスプールの第１の方向への回転を可能とし、ハウジング内でスプールの第２の方向への回転を防止して、引張部材がスプールの周りから巻き戻されるのを防止するように構成された荷重保持機構と、ノブ部材の動作に応答して可聴ノイズを生成して引張部材の調整を知らせるように構成された可聴コンポーネントとを含む。
【０００８】
[0008]別の態様によれば、リール式張力装置を構成する方法は、リール式張力装置を提供することを含み、リール式張力装置は、ハウジングと、ハウジング内に回転可能に配置されたスプールと、スプールに動作可能に結合され、スプールをハウジング内で第１の方向に回転させて引張部材をスプールの周りに巻き付けるノブ部材と、スプールに結合され、ハウジング内でスプールの第１の方向への回転を可能とし、ハウジング内でスプールの第２の方向への回転を防止して、引張部材がスプールの周りから巻き戻されるのを防止するように構成された荷重保持機構とを含む。
この方法はまた、リール式張力装置と可聴コンポーネントとを結合することを含み、可聴コンポーネントは、ノブ部材の動作に応答して可聴ノイズを生成し、引張部材の調整を知らせるように構成される。
【０００９】
[0009]別の態様によれば、物品を締め付けるためのリール式張力装置は、内部領域を有するハウジングと、ハウジングの内部領域内に配置され、それに対して回転可能なスプールと、スプールと動作可能に結合され、スプールをハウジングの内部領域内で回転させるノブ部材と、スプールに結合された荷重保持機構とを含む。荷重保持機構は、円筒形部材と摩擦係合するばねを含み、スプールに回転力を与える引張部材の張力などノブ部材以外の源からスプールに加えられる力に応答して、ハウジングの内部領域内でスプールが回転するのを防ぐ。ノブは荷重保持機構と動作可能に結合されているため、ノブの第１の方向への回転によりばねと円筒形部材の摩擦係合が減少し、ハウジングの内部領域内でスプールの第１の方向への回転が可能になり、それにより引張部材はスプールの周りに巻き付けられる。また、ノブは荷重保持機構と動作可能に結合されているため、ノブを第２の方向へ回転させると、ばねと円筒形部材の摩擦係合も減少し、ハウジングの内部領域内でスプールの第２の方向への回転が可能になり、それによって引張部材はスプールの周りから巻き戻される。
【００１０】
[0010]別の態様によれば、リール式張力装置は、ハウジングと、ハウジング内に回転可能に配置されたスプールと、スプールをハウジング内で回転させるためにスプールと動作可能に結合されたノブ部材と、ハウジング内のスプールの不要な回転を防ぐために、円筒形部材と摩擦係合するばねを含む荷重保持機構とを含む。
ノブ部材は荷重保持機構と動作可能に結合されているため、ノブ部材の第１の動作により、ばねと円筒形部材との摩擦係合が減少し、ハウジング内でスプールの回転が可能になり、スプールの周りに引張部材が巻き付けられ、ノブ部材の第２の動作によりまた、ばねと円筒形部材との摩擦係合も減少し、ハウジング内でスプールの回転が可能になり、引張部材はスプールの周りから巻き戻される。
【００１１】
[0011]別の態様によれば、リール式張力装置を用いて物品を組み立てる方法は、リール式張力装置を提供することを含み、リール式張力装置は、
ハウジングと、ハウジング内に回転可能に配置されるスプールと、スプールをハウジング内で回転させるためにスプールと動作可能に結合されたノブ部材と、ハウジング内でスプールの不要な回転を防止するために円筒形部材と摩擦係合するばねを含む荷重保持機構とを含む。
ノブ部材は荷重保持機構と動作可能に結合されるので、ノブ部材の第１の動作により、ばねと円筒形部材の摩擦係合が減少し、ハウジング内のスプールの回転が可能になり、引張部材はスプールの周りに巻き付けられ、そしてノブ部材の第２の動作によりまた、ばねと円筒形部材の摩擦係合も減少し、ハウジング内のスプールの回転が可能となり、引張部材はスプールの周りから巻き戻される。
この方法はまた、リール式張力装置部材を物品と結合することを含む。
【００１２】
[0012]本発明は、添付の図面と併せて説明される。
【図面の簡単な説明】
【００１３】
【図１】典型的にはベース部材に結合されたハウジングに取り付けられたノブを示す、組み立てられたリールシステムの斜視図を示す。
【図２】図１のリールシステムの分解斜視図を示し、リールシステムの様々な内部コンポーネントを示す。
【図３】図１のリールシステムの分解斜視図を示し、リールシステムの様々な内部コンポーネントを示す。
【図４】可聴コンポーネントまたは機構のつめ部材またはビームを示す。
【図５】図１のリールシステムのノブ部材の斜視図を示す。
【図６】図１のリールシステムで使用することができる上部ハブを示す。
【図７】図１のリールシステムで使用することができる下部ハブを示す。
【図８】図６〜図７の上部ハブおよび下部ハブとともに使用することができるコイルばねを示す。
【図９】図１のリールシステムで使用されるスプールの実施形態を示す。
【図１０】図６〜図８の解放ハブおよび上部ハブ、下部ハブ、およびコイルばねの分解斜視図を示す。
【図１１】図１０の解放ハブ、上部ハブ、下部ハブ、およびコイルばねの組立て図を示す。
【図１２】図１のリールシステムのノブ部材およびハウジングを示しており、ノブ部材は、ハウジングに対して締め付け方向に回転する。
【図１３】ノブ部材がハウジングに対して緩む方向に回転するノブ部材およびハウジングを示す。
【図１４】可聴ノイズを生成するために使用することのできる図１のリールシステムの可聴コンポーネントまたは機構の斜視図を示す。
【図１５】ベース部材、織布材料または布地、およびベース部材と織布材料または布地の結合の図を示す。
【図１７】ベース部材、織布材料または布地、およびベース部材と織布材料または布地の結合の別の図を示す。
【図１８】ベース部材、織布材料または布地、およびベース部材と織布材料または布地の結合の別の図を示す。
【図１９】ベース部材、織布材料または布地、およびベース部材と織布材料または布地の結合の別の図を示す。
【図２３】ベース部材、織布材料または布地、およびベース部材と織布材料または布地の結合の別の図を示す。
【図２４】ベース部材、織布材料または布地、およびベース部材と織布材料または布地の結合の別の図を示す。
【図２５】ベース部材、織布材料または布地、およびベース部材と織布材料または布地の結合の別の図を示す。
【図１６】図１のリールシステムのハウジングおよびハウジングの様々な特徴を示す。
【図２０】図１のリールシステムのスプールおよびハウジングに取り付けることができる停止コードまたは機構を示す。
【図２１】図１のリールシステムで使用することができるコイルばねおよび解放ハブアセンブリの代替実施形態を示す。
【図２２】図１のリールシステムで使用することができるコイルばねおよび解放ハブアセンブリの代替実施形態を示す。
【図２６】図１のリールシステムで使用することができ、単一のハブおよびコイルばねを含む摩擦ベースの荷重保持機構の代替実施形態を示す。
【図２７】図１のリールシステムで使用することができ、単一のハブおよびコイルばねを含む摩擦ベースの荷重保持機構の代替実施形態を示す。
【図２８】図１のリールシステムで使用することができ、単一のハブおよびコイルばねを含む摩擦ベースの荷重保持機構の代替実施形態を示す。
【図２９】図１のリールシステムで使用することができ、単一のハブおよびコイルばねを含む摩擦ベースの荷重保持機構の代替実施形態を示す。
【図３０】図１のリールシステムで使用することができ、単一のハブおよびコイルばねを含む摩擦ベースの荷重保持機構の代替実施形態を示す。
【００１４】
[0030]添付の図では、類似のコンポーネントおよび／または機能には同じ参照ラベルが付いている場合がある。更に、同じタイプの様々なコンポーネントは、類似のコンポーネントおよび／または機能を区別する文字を参照ラベルにつづけることによって区別することができる。本明細書で最初の数値参照ラベルのみを使用する場合、説明は、文字接尾辞に関係なく、同じ最初の数値参照ラベルを持つ類似のコンポーネントおよび／または機能のいずれかに適用される。
【発明を実施するための形態】
【００１５】
[0031]以下の説明は、例示的な実施形態のみを提供し、本開示の範囲、適用可能性、または構成を限定することを意図するものではない。むしろ、例示的な実施形態に関する以下の説明は、１つ以上の例示的な実施形態を実施するための実施可能な説明を当業者に提供するであろう。添付の特許請求の範囲に記載される本発明の趣旨および範囲から逸脱することなく、要素の機能および配置に様々な変更を加えることができることを理解すべきである。
【００１６】
[0032]本明細書の実施形態は、ひもまたは引張部材に張力をかけ、それによって物品または他の品物を締め付けるために使用することのできるリール式の閉鎖装置または張力装置を説明する。本明細書では、リール式張力装置は、リールシステムまたは単に閉鎖装置とも呼ばれる。物品は、パック（すなわち、バックパック、ブックバッグなど）、衣料品（すなわち、帽子、手袋、ベルトなど）、スポーツ衣料（ブーツ、スノーボードブーツ、スキーブーツなど）、医療用装具（つまり、背部装具、膝装具、手首装具、足首装具など）、および／またはその他の様々な品物またはアパレルを含む様々な品物であってもよい。閉鎖システムが使用され得る特定の実施形態は、靴、ブーツ、サンダルなどの履物を含む。
【００１７】
[0033]本明細書のリールシステムは、摩擦ベースの張力調整機構を採用し、これは、ひも、コード、または引張部材（以下、引張部材）に張力をかけ、引張部材の張力を維持するために使用される。本明細書で説明する摩擦ベースの張力調整機構は、引張部材の張力を維持する荷重保持機能を提供するために、ボスまたはハブなどの円筒形部材と摩擦係合するばね（例えば、コイルばね）を有する荷重保持機構を採用する。
具体的には、ばねと円筒形部材の摩擦係合は、ハウジング内のスプールの不要な回転を防ぐために採用されている。リールシステムは引張部材の張力を維持するために使用されるため、スプールの不要な回転とは、ユーザによって開始されず、引張部材の緩みまたは張力解除をもたらすスプールの回転を意味する。別の言い方をすれば、システムは、ひもを緩めたりひもを張力解除するというユーザのアクションだけに応答してスプールが回転するように設計されており、このアクションは、通常、リールシステムのノブコンポーネントを緩める方向に回転させることを含むが、レバーを操作したり、ボタンを押したり、ノブを軸方向に上に引いたりするなど、他のアクションを含めることもできる。ユーザがこのアクションを行わない場合、ばねと円筒形部材は、摩擦係合してハウジング内のスプールの回転を防止するように設計される。
【００１８】
[0034]リールシステムは、典型的には、ユーザが握って回転できるように設計されたノブを含む。ノブ部材は、荷重保持機構と動作可能に結合されているので、ノブ部材の第１の動作（例えば、ノブの締め付け方向への回転）により、ばねと円筒形部材の摩擦係合が減少し、ハウジング内でスプールの回転が可能となり、引張部材はスプールの周りに巻き付けられる。ノブ部材はまた、荷重保持機構と動作可能に結合されているので、ノブ部材の第２の動作（例えば、ノブの緩む方向への回転）により、ばねと円筒形部材の摩擦係合が減少し、ハウジング内でスプールの回転が可能となり、引張部材はスプールの周りから巻き戻される。
【００１９】
[0035]例示的な実施形態では、コイルばねは、ハブ部材または中央の円筒形ボスの外側に配置されるまたは巻き付けられる。コイルばねは、荷重保持機能を提供するために、ハブ部材または中央の円筒形ボスの周りで収縮するように構成される。一実施形態では、ハブ部材または中央の円筒形ボスは、スプールに固定された上部ハブ部材と、ハウジングに固定された下部ハブ部材とを含むことができる。上部ハブ部材は、下部ハブ部材の直径よりわずかに大きい直径を有してもよい。このような実施形態では、下部ハブ部材と接合する上部ハブ部材の遠位端は先細になっていてもよい。別の実施形態では、ハブ部材または中央の円筒形ボスは内側ハブ部材であってもよく、リールシステムはまた、内側ハブ部材上に配置され、ノブ部材およびばねと動作可能に結合される外側ハブ部材を含んでもよく、ノブ部材が緩む方向に回転するとばねと内側ハブ部材の摩擦係合が減少する。このような実施形態では、外側ハブ部材は、ノブ部材が緩む方向に回転すると外側ハブが緩む方向に回転するように、ノブ部材と結合されてもよい。ばねは、外側ハブ部材と結合されたタングを含んでもよく、外側ハブ部材が緩む方向に回転するとばねの直径が拡大し、それによりばねと内側ハブ部材との摩擦係合が減少する。
更に別の実施形態では、コイルばねを、ボスまたはハブの円筒形チャネルまたは凹部内に配置してもよい。このような実施形態では、コイルばねは、荷重保持機能を提供するために、半径方向外側に曲がり、円筒形チャネルまたは凹部の内壁と摩擦係合するように付勢される。
【００２０】
[0036]摩擦ベースの張力調整機構により、従来のシステムで一般的に使用されている荷重保持機能を提供するつめまたは柔軟なアームが不要になる。このような従来のシステムでは、つめまたはアームは、一般に、荷重保持機能を提供するために歯と係合する。つめ／アームおよび歯は、締め付け方向のノブの回転など、つめ／アームの一方向の動きを可能にするように傾斜しているか、またはそのように構成されていることが多く、それによってリール式装置を可能にする。ノブが反対方向に回転すると、つめ／アームと歯がロック係合し、引張部材の張力を緩めるシステムの１つ以上のコンポーネントの回転が防止される。本明細書の実施形態は、荷重保持能力を提供するように機能するつめまたはアームを完全に含まなくてもよい。他の実施形態では、リールシステムは、荷重保持機能を提供するために、摩擦ベースの機構とつめまたはアームとの組合せを含んでもよい。
【００２１】
[0037]本明細書で説明する荷重保持機構（すなわち、ばねおよびハブ部材）は、人間の耳で検出可能な可聴ノイズを生成しない場合がある。したがって、リールシステムは、ノブ部材の動作に応答して可聴ノイズを生成して引張部材の調整を知らせるように構成された可聴コンポーネントを含んでもよい。可聴コンポーネントは、引張部材に張力をかけることに応答して可聴ノイズを生成し、引張部材を緩めることに応答して可聴ノイズを生成するように構成されてもよい。引張部材に張力をかけることに応答して生成される可聴ノイズは、引張部材を緩めることに応答する可聴ノイズとは異なってもよい。可聴コンポーネントは、スプールの上面に結合されてもよい。
【００２２】
[0038]本明細書のシステムは、一般に、荷重保持つめまたはアームを欠いているが、例示的な実施形態では、システムが作動するときに可聴ノイズまたは音を生成するために別個のつめシステム、部材、またはビームを使用してもよい。例えば、つめシステム、部材、またはビームは、ノブが回転するときに主にクリック音を生成するために使用され、クリック音はシステムが引張部材を引っ張ったり緩めたりするために使用されていることを可聴的にユーザに示す。つめシステム、部材、またはビームは、システムのユーザが期待および／または望んでいる可聴フィードバックを提供してもよい。つめシステム、部材、またはビームは、引張部材またはノブ部材を介してかなりの回転力がスプールに加えられたときに、ハウジング内のスプールの回転を防ぐことができない場合がある。例えば、ユーザがノブ部材を緩む方向に回転させると、つめシステム、部材、またはビームは、ノブ部材の回転をそれほど妨げない可能性がある。
【００２３】
[0039]リール式閉鎖装置の追加の特徴および態様は、本明細書で以下に提供されるいくつかの図面の説明を参照すると明らかになるであろう。
【００２４】
[0040]図１は、リールシステム１００の組立斜視図を示す。組み立てられたリールシステム１００は、ハウジング１０２に取り付けられたノブ１７０を示しており、ハウジング１０２は、典型的にはベース部材２２０と結合される。ハウジング１０２は、ハウジング１０２をベース部材２２０から取り外したり除去したりできるように、ベース部材２２０と結合される。ハウジング１０２とベース部材の結合は、両方のコンポーネント上に配置された嵌合機能の係合を介して達成される。図１は、ハウジング１０２の前部をベース部材２２０に結合するために、ベース部材２２０の前部タブ２２２内に配置可能なリップまたはフランジ部材１０６を示す。図１６は、ハウジング１０２の反対側に配置されたタブ１１０を示す。タブ１１０は、ベース部材２２０の周囲を部分的に囲む壁２２４の内面上の対応するスロット内で適合するように設計されている。図１６はまた、ハウジング１０２のレースポート１０４を示す。レースポートは、引張部材がハウジング１０２の内部へのアクセスを可能とするために、引張部材が挿入される開口部１０５を含む。図１７に示すように、ベース部材２２０は、レースポート１０４を収容する形状およびサイズの前部タブ２２２の両側に開口部または領域を含み、単一コンポーネントであるベース部材２２０およびハウジング１０２の外観を示す。
【００２５】
[0041]ハウジング１０２は、ベース部材２２０の外面およびノブ１７０の外面に対応するように形作られる。例えば、ハウジング１０２がベース部材２２０に取り付けられると、これらのコンポーネントの外面は、それらが連続または合わせ面として見えるように整列する。ハウジング１０２およびベース部材２２０の外面が一致していることは、両方のコンポーネントの縁部を見えないようにするまたは隠すのに役立つ。この方法では、ユーザはコンポーネントの別々の縁部を容易に認識せず、むしろ別個のコンポーネントを一体ユニットとして視覚的に認識する。ハウジング１０２の外面は、同様にノブ１７０と整列しているので、外面が一緒に流れるように見える。ノブ１７０とハウジング１０２の外面とが整列することにより、周囲の物体に引っかかってシステムを開けたり、ハウジング１０２からノブ１７０を外したりする可能性のある隆起部または縁部が排除または最小化される。ハウジング１０２、ノブ１７０、およびベース部材２２０の形状は、ユーザが望む視覚的に魅力的な外観を提供する。
【００２６】
[0042]ノブ１７０は、スナップ係合または嵌合を介してハウジング１０２に結合される。具体的には、ノブ１７０の内面は、ハウジング１０２の半径方向外向きに突出するリブ１１４上でスナップするように構成される半径方向内向きに突出するタブ１７６を含む。ノブ１７０は、２つのコンポーネントが互いにスナップ嵌めされると、半径方向外側にわずかに曲がることができる。スナップ嵌め係合または結合により、ネジ、ボルト、または他の同様の機械的留め具を使用せずにコンポーネントを一緒に取り付けることができる。ノブとハウジングのスナップ嵌め結合の例示的な実施形態は、２０１４年６月５日に出願され、「統合閉鎖装置のコンポーネントおよび方法」と題された米国特許出願第１４／２９７，０４７号に更に記載されており、その全体の開示は本明細書で参照することにより組み込まれる。
【００２７】
[0043]図１および図５は、場合によっては刻み付き構成を有し得る、テクスチャード加工またはパターン化された外側リム１７３を有するノブ１７０を示す。テクスチャード加工またはパターン化された外側リムは、ノブ１７０のリム１７３のグリップ表面を強化することができ、および／または美的アピールのために使用することができる。場合によっては、ノブ１７０は、アルミニウムまたはステンレス鋼などの金属材料で作られていてもよい。このような場合、テクスチャード加工またはパターン化された外側リム１７３は、ノブ１７０のグリップ特性を著しく高めることができる。他の例では、ノブ１７０は、ポリプロピレン、ポリエチレン、ナイロンなどのプラスチック材料で作られてもよい。
【００２８】
[0044]図２および図３は、リールシステム１００の分解斜視図を示す。リールシステム１００の内部コンポーネントは、図２および図３に見ることができる。「内部コンポーネント」という用語は、ハウジング１０２の内部領域１１６内およびノブ１７０の軸方向下方に配置されて、組み立てられた図では内部コンポーネントが見えないシステムコンポーネントを意味する。内部コンポーネントには、スプール１４０、摩擦ベースの荷重保持機構１２０、可聴フィードバックアセンブリ１６０、および停止コードまたは機構２３０（図２０を参照）が含まれる。これらのコンポーネントのそれぞれは、様々なコンポーネントの詳細な斜視図を提供する図２〜２０に関連してより詳細に説明される。
【００２９】
[0045]スプール１４０は、ハウジング１０２の内部領域１１６内に回転可能に配置される。スプール１４０の詳細な斜視図が図９に示される。スプール１４０は、ハウジング１０２の中央ボス１１５に取り付けられた円筒形結合ポスト１９０の周りを回転するように構成される。円筒形結合ポスト１９０は、スプール１４０の中央開口部１４８を通して挿入され、円筒形結合ポスト１９０の遠位端をハウジングの中央ボス１１５の開口部内に挿入または圧入することにより、ハウジング１０２の中央ボス１１５に取り付けられる  （図１６を参照）。図１６は、中央ボス１１５の開口部内に圧入または挿入された円筒形結合ポスト１９０を示す。円筒形結合ポスト１９０は、締まり嵌め、接着剤結合、溶接（ＲＦ、音波など）などを介して中央ボス１１５に固定することができる。スプールの開口部１４８は、スプール１４０と円筒形結合ポスト１９０との間の摩擦力を最小化し、それによりスプール１４０がハウジング１０２の内部領域１１６内で円筒形結合ポスト１９０の周りを自由に回転できるように、十分に大きい。
【００３０】
[0046]スプールの開口部１４８は、スプール１４０の上面の凹部内の中央に配置される。スプール１４０の上面の凹部は、円筒形結合ポスト１９０のキャップを収容するような形状および大きさである。円筒形結合ポスト１９０のキャップがスプール１４０の凹部内に配置されると、キャップの上面はスプール１４０の上面と整列することができる。
【００３１】
[0047]スプール１４０は、環状チャネル１４４などのひも巻き取り領域を含み、その周りに引張部材（図示せず）が巻き付けられたり、巻き戻されたりして、引張部材に張力をかけたり緩めたりする。スプール１４０は、ノブ１７０と動作可能に結合されており、ノブ１７０の締め付け方向（例えば、時計回り）および緩む方向（例えば、反時計回り）への回転により、ハウジング１０２の内部領域１１６内でのスプール１４０が対応して回転する。ノブ１７０は、スプール１４０の窓１５０内に配置された１つ以上の駆動コンポーネントまたはタブ１７４を含む。図示の実施形態では、リールシステム１００は、３つの駆動タブ１７４および３つの窓１５０を含むが、より多くのまたはより少ないこれらのコンポーネントを所望に応じて使用することができる。
【００３２】
[0048]駆動タブ１７４は窓１５０よりも小さいサイズであり、駆動タブ１７４が窓１５０の対向する内側または縁部１５２の間の窓１５０内である程度回転できる。窓１５０内の駆動タブ１７４の相対的な回転により、引張部材の締め付けまたは緩みを生じさせることなく、ノブ１７０をハウジング１０２の周りである程度回転させることができる。本明細書で説明されるように、より小さいサイズの駆動タブ１７４は、摩擦ベースの荷重保持機構１２０の解放を促進する。図１２および図１３に示す駆動タブ１７４は、窓１５０の対向する側部１５２間で回転し、スプール１４０をハウジング１０２の内部領域１１６内で回転させることによって、引張部材に張力をかけたり緩めたりすることを可能にする方法で使用される。
【００３３】
[0049]スプール１４０の底面または後面は、摩擦ベースの荷重保持機構１２０が配置される大きな円筒形の開口部またはチャネル１４２を含む。図１０に示すように、摩擦ベースの荷重保持機構１２０は、上部ハブ１２６、下部ハブ１２２、コイルばね１３４、および解放スリーブ１３０を含み、それらの全てまたは大部分は、スプール１４０の開口部またはチャネル１４２内で同軸に整列して配置される。上部ハブ１２６、下部ハブ１２２、および解放スリーブ１３０は全て、軸方向に延びる歯を含む。具体的には、上部ハブ１２６は軸方向に延びる歯１２８を含み、下部ハブは軸方向に延びる歯１２４を含み、解放スリーブ１３０は軸方向に延びる歯１３２を含む。上部ハブ１２６および下部ハブ１２２の軸方向に延びる歯１２８および１２４は、歯が反対方向に延びるように配向される。解放スリーブ１３０は、その軸方向に延びる歯１３２が上部ハブ１２６の軸方向に延びる歯１２８と同じ方向に延びるように配向される。
【００３４】
[0050]上部ハブ１２６は、スプール１４０の円筒形開口部１４２内に配置されており、その軸方向に延びる歯１２８がスプール１４０の対応する開口部１５８内に挿入され、これにより上部ハブ１２６はスプール１４０にロックまたは固定される。上部ハブ１２６をスプール１４０に固定することは、上部ハブ１２６がスプール１４０に対して並進または回転しないことを意味する。むしろ、スプール１４０の回転運動または移動は、２つのコンポーネントが互いに固定されるため、上部ハブ１２６の対応する回転運動または移動を引き起こす。下部ハブ１２２も同様にハウジング１０２の内部領域１１６内に配置され、その軸方向に延びる歯１２４がハウジング１０２の対応する開口部１０７に挿入され、下部ハブ１２２をハウジング１０２にロックまたは固定する。ベース部材２２０と結合されると、ハウジング１０２はベース部材２２０に対して適所に固定される。下部ハブ１２２はハウジング１０２にロックまたは固定されるため、下部ハブ１２２はベース部材およびハウジングに対して適所に固定され、したがって、下部ハブ１２２はリールシステム１００に対して回転可能または並進可能ではない。
【００３５】
[0051]コイルばね１３４は、上部ハブ１２６および下部ハブ１２２上に配置される。コイルばね１３４、上部ハブ１２６、および下部ハブ１２２が解放スリーブ１３０の円筒形内部領域内に配置されるように、解放スリーブ１３０はコイルばね１３４上に配置される。コイルばね１３４は、コイルばね１３４がこれらのハブ１２６および１２２の外面の周りで収縮することができるように、上部ハブ１２６および下部ハブ１２２を取り囲んでいる。具体的には、コイルばね１３４の内径は、上部ハブ１２６および下部ハブ１２２の外径とほぼ同じか、わずかに小さい。コイルばね１３４は、前記ハブ１２２および１２６の外面の周りを収縮することにより、上部ハブ１２６および下部ハブ１２２と摩擦係合する。コイルばね１３４と上部ハブ１２６および下部ハブ１２２との摩擦係合は、摩擦ベースの荷重保持機構１２０の荷重保持の特性または機能を提供する。具体的には、上部ハブ１２６および下部ハブ１２２の周りのコイルばね１３４の収縮により、上部ハブ１２６が下部ハブ１２２の周りまたはそれに対して回転することを防止することにより、上部ハブ１２６および下部ハブ１２２を互いにロックまたは固定する。このように上部ハブ１２６と下部ハブ１２２を一緒にロックすると、スプール１４０が上部ハブ１２６に固定されるため、スプール１４０がハウジング１０２に対して適所にロックされる。これにより、スプール１４０がハウジング１０２の内部領域１１６内でスピンまたは回転することが防止され、引張部材に存在する張力が維持される。
【００３６】
[0052]コイルばね１３４は、ノブ１７０が締め付け方向（例えば、図１２の矢印Ａ）に回転すると、コイルばね１３４が、ハウジング１０２の周りの位置に固定された下部ハブ１２２の周りを回転できるように設計される。コイルばね１３４は、典型的には、上部ハブ１２６の周りの適所に固定されたままであり、上部ハブ１２６、解放スリーブ１３０、スプール１４０、およびノブ１７０とともに締め付け方向に回転する。上部ハブ１２６、コイルばね１３４、および解放スリーブ１３０の適切な整列を維持することは、本明細書で説明するように、リールシステム１００の一貫した反復可能な張力感および緩み感および性能を実現する上で重要である。これらのコンポーネントが締め付け方向に回転すると、引張部材がスプール１４０の環状チャネル１４４の周りに巻き付けられ、これにより引張部材の張力が増加する。ノブ１７０の締め付け方向への回転が停止すると、コイルばね１３４が上部ハブ１２６および下部ハブ１２２の周りで収縮し、それによってこれらのコンポーネントを一緒にロックまたは固定し、スプール１４０および他のコンポーネントの緩む方向（例えば、図１３の矢印Ｂ）の回転が防止される。引張部材の張力は、典型的には、スプール１４０を緩む方向の回転に向けて付勢し、これにより、コイルばね１３４と上部ハブ１２６および下部ハブ１２２との摩擦係合が増加する。これらのコンポーネントの摩擦係合の増加により、上部ハブ１２６と下部ハブ１２２が更にロックされるか、より固定される。
【００３７】
[0053]解放スリーブ１３０は、ハブ１２６および１２２が互いに対して回転することを可能にし、これにより、スプール１４０がハウジング１０２の内部領域１１６内で回転することを可能にするために、上部ハブ１２６および下部ハブ１２２の周りのコイルばね１３４の摩擦係合を調整するために使用される。具体的には、解放スリーブ１３０は、ノブ１７０と動作可能に結合されており、ノブ１７０が緩む方向に回転すると、解放スリーブ１３０の下部が緩む方向に回転する。図１３に示すように、ノブ１７０が緩む方向に回転すると、ノブ１７０の駆動タブ１７４が解放スリーブ１３０の軸方向に延びる歯１３２に係合し、解放スリーブ１３０が緩む方向に回転する。
【００３８】
[0054]図１１に示すように、解放スリーブ１３０の反対側の端部は、コイルばね１３４の半径方向に延びるタング１３６に取り付けられており、解放スリーブ１３０が緩む方向に回転すると、タング１３６が押され、コイルばね１３４がわずかに開く。具体的には、解放スリーブ１３０が緩む方向に回転すると、タング１３６が緩む方向に押されて回転し、この結果、コイルばね１３４の下部コイル部分が半径方向に開いたり拡大したりすることにより下部コイル部分と下部ハブ１２２の摩擦係合が減少する。コイルばね１３４と下部ハブ１２２との摩擦係合の減少により、コイルばね１３４の下部コイル部分が下部ハブ１２２の周りで緩む方向に回転することが可能になる。
【００３９】
[0055]コイルばね１３４の上部は、上部ハブ１２６の周りの適所に固定されたままであるため、コイルばね１３４の上部は、上部ハブ１２６の周りで、またはそれに対して回転しない。コイルばね１３４の下部は解放スリーブ１３０を介して下部ハブ１２２の周りで回転可能であるため、上部ハブ１２６およびコイルばね１３４は緩む方向に回転することができる。このようにして、解放スリーブ１３０は、上部ハブ１２６を下部ハブ１２２からロック解除または結合解除することを可能にし、これにより、ノブ１７０の緩む方向への回転に応答して、上部ハブ１２６およびコイルばね１３４を緩む方向に回転させることができる。上部ハブ１２６はスプール１４０に取り付けられているため、上部ハブ１２６と下部ハブ１２２の結合を解除すると、ノブ１７０の緩む方向の回転に応答してスプール１４０を緩む方向に回転させることができ、これにより、引張部材を環状チャネル１４４から巻き戻されるので引張部材の張力が減少する。ノブ１７０の緩む方向の回転が止まると、コイルばね１３４の下部は下部ハブ１２２の周りで収縮し、このことにより、上部ハブ１２６と下部ハブ１２２をロックまたは結合し、これにより、上部ハブ１２６、コイルばね１３４、およびスプール１４０が更に緩む方向に回転することが防止される。
【００４０】
[0056]解放スリーブ１３０は、コイルばね１３４よりも半径方向に大きいサイズであり、解放スリーブ１３０がコイルばね１３４と摩擦係合しないか、最小限に係合することを保証し、この係合によりコイルばね１３４に対する解放スリーブ１３０の回転が妨げられる。
【００４１】
[0057]上記で簡単に説明したように、上部ハブ１２６、コイルばね１３４、解放スリーブ１３０、およびスプール１４０の向きを維持することが望ましい。これらのコンポーネントの適切な向きは、ノブ１７０を緩む方向に回転させると、解放スリーブ１３０がタング１３６に一貫した反復可能な方法で係合することを保証するために重要であり、それにより引張部材の締め付けと緩みが相対的に一定に維持される。
図１２および図１３に示すように、軸方向に延びる歯１３２および駆動タブ１７４は、スプール１４０の窓１５０内に配置される。タング１３６の反復可能かつ一貫した係合を達成するために、窓１５０内で軸方向に延びる歯１３２および駆動タブ１７４の向きまたは相対位置を維持することが重要である。さもなければ、駆動タブ１７４は、解放スリーブ１３０の軸方向に延びる歯１３２と適切に係合せず、解放スリーブ１３０を回転させ、上記の通りコイルばね１３４の下部コイル部分を開く。
【００４２】
[0058]これらのコンポーネントの向きを維持するには、コイルばね１３４の上部コイル部分が上部ハブ１２６の周りに固定されたままであることが重要である。具体的には、コイルばね１３４が上部ハブ１２６に対して回転せず、下部ハブ１２２に対してまたはその周りでのみ回転することが重要である。コイルばね１３４が下部ハブ１２２のみを中心に回転し、上部ハブ１２６に固定または固定されたままになるようにするために、上部ハブ１２６は下部ハブ１２２よりわずかに大きい直径を有してもよい、上部ハブ１２６は下部ハブ１２２よりも大きな摩擦係数を有する材料で作られてもよい、下部ハブ１２２は上部ハブ１２６と比較して摩擦係数を実質的に減少させる表面仕上げを有してもよい、などの上部および下部ハブ構成のうち１つ以上を使用してもよい。これらのオプションの任意の組合せを使用して、コイルばね１３４が下部ハブ１２２の周りでのみ回転することを保証することができる。
【００４３】
[0059]例えば、図６および図７に示すように、上部ハブ１２６は、下部ハブ１２２の直径Ｄ２よりも大きい直径Ｄ１を有してもよい。上部ハブ１２６の直径Ｄ１がより大きいことにより、コイルばね１３４が上部ハブ１２６の周りで収縮し、下部ハブ１２２よりも上部ハブ１２６とより摩擦係合することが保証される。いくつかの実施形態では、上部ハブ１２６と下部ハブ１２２との間の直径の差は約２ｍｍである。直径２ｍｍの差は、システムの荷重保持力に大きな影響を与えることなく、コイルばね１３４が上部ハブ１２６と摩擦係合および固定されたままになることを保証するのに十分であり、このことは、上部ハブ１２６と下部ハブ１２２の直径の差が大きすぎる場合に発生する可能性がある。上部ハブ１２６と下部ハブ１２２との間の直径の差が大きすぎる場合、コイルばね１３４は下部ハブ１２２の周りに十分に収縮できない可能性があり、したがって、コイルばね１３４は上部ハブ１２６および下部ハブ１２２を一緒にロックまたは固定できない可能性がある。
【００４４】
[0060]コイルばね１３４が異なるサイズのハブの周りに適切に収縮できることを保証するために、上部ハブ１２６は、先細の遠位端１２７を含み、これは、より大きな直径の上部ハブ１２６とより小さな直径の下部ハブ１２２との間の移行を提供する。先細の遠位端１２７は、２つのハブ間の境界面に粗い段または急な縁部が形成されないことを保証するが、これらの粗い段または急な縁部は、コイルばね１３４が下部ハブ１２２の外側表面を把持し収縮する能力を制限することにより、リールシステム１００の保持力に悪影響を及ぼす可能性がある。先細の遠位端１２７により、コイルばね１３４は、上部ハブと下部ハブのサイズの違いにもかかわらず、下部ハブ１２２の外面の周りを締め付けて把持することができる。更に、上部ハブ１２６は、下部ハブ１２２よりも大きな摩擦係数を有する材料で作られていてもよい。例えば、上部ハブ１２６はアルミニウム製であり、下部ハブ１２２は真鍮または青銅製である。下部ハブ１２２の表面仕上げは、更に、または代替として、下部ハブ１２２の摩擦係数を低下させることができる。例えば、下部ハブ１２２は、上部ハブ１２６と比較して研磨された表面仕上げを有してもよく、これにより、下部ハブ１２２の摩擦係数を実質的に減少させることができる。
【００４５】
[0061]コンポーネントの向きを維持するには、解放スリーブ１３０とコイルばねのタング１３６の適切な整列を確保することも重要である。解放スリーブ１３０とタング１３６との整列は、解放スリーブ１３０の緩む方向の回転によりタング１３６に直ちに確実に係合されるために重要である。場合によっては、解放スリーブ１３０の遠位端は、中にタング１３６が配置されるノッチまたはスロットを含んでもよい  しかしながら、本実施形態では、図１１に示すように、タング１３６は解放スリーブ１３０の遠位端に直接挿入される。タング１３６を解放スリーブ１３０の遠位端に直接挿入する１つの方法は、タング１３６を解放スリーブ１３０に熱かしめすることによるものである。タング１３６を解放スリーブ１３０に直接挿入すると、製造公差に関連する問題が排除または実質的に最小限に抑えられ、製造公差は、解放スリーブ１３０の周りのタング１３６の相対位置を変化させ、ノブ１７０と解放スリーブ１３０の逆回転に応答してコイルばね１３４が開く方法に大きく影響する可能性がある。
【００４６】
[0062]コイルばね１３４は上下のハブの周りに複数回巻き付けられているため、ハブ１２６と１２２いずれかの直径の変化は解放スリーブ１３０に対するタング１３６の位置に大きく影響する可能性がある。例えば、いずれかのハブの直径が変化すると、解放スリーブ１３０に対するタング１３６の位置が変化し、これは方程式Ｖ＝ＮπΔＤによってモデル化できて、ここで、Ｖは解放スリーブ１３０の周りのタング１３６の位置の変動、Ｎはコイルばね１３４の巻数、ΔＤはいずれかのハブの直径の変化である。
ハブ１２６および１２２のいずれかまたは両方の直径のわずかな変動がタング１３６の位置を最大１  ｍｍ変化させることがあり、このことはコイルばね１３４が解放スリーブ１３０の逆回転に対応して開いたり拡大したりする度合いに大きく影響することが観察されている。タング１３６を熱かしめまたは他の方法を介して解放スリーブ１３０の遠位端に直接挿入することにより、リールシステム１００のコンポーネントの変動が及ぼす可能性のある影響が無効化される。むしろ、タング１３６を解放スリーブ１３０に直接挿入することにより、システムで経験される変動に関係なく、適切かつ正確な整列が保証される。解放スリーブ１３０の周りのタング１３６の位置決めの変動を排除または低減することにより、典型的には、より一貫した再現性のあるシステム性能、および引張部材に張力をかけたり緩めたりする感触が得られる。
【００４７】
[0063]いくつかの実施形態では、コイルばね１３４を、上部ハブ１２６および下部ハブ１２２の周りに約７回巻き付けてもよい。
【００４８】
[0064]図１２および図１３は、引張部材の張力を調整する際のノブ１７０、スプール１４０、および解放スリーブ１３０の相互作用を示す。図１２は、スプールの環状チャネル１４４の周りに引張部材を巻き付けることにより引張部材の張力を増加させるために使用されるこれらのコンポーネントを示し、一方、図１３は、スプールの環状チャネル１４４の周囲から引張部材を巻き戻すことにより引張部材の張力を減少させるために使用されるこれらのコンポーネントを示す。図では、ノブ１７０の上面が取り除かれており、ノブ１７０の駆動タブ１７４、解放スリーブ１３０の軸方向に延びる歯１３２、スプール１４０の上面、およびスプールの窓１５０が見える。図１２に示すように、ノブ１７０が矢印Ａで表される締め付け方向に回転すると、駆動タブ１７４が解放スリーブ１３０の第１の歯１３２ａとスプールの窓１５０の前縁部１５２ａに接触する（図１３では、第１の歯１３２ａが露出して示されている）。駆動タブ１７４と第１の歯１３２ａとの接触により、解放スリーブ１３０がスプール１４０に対して回転し、これにより、第１の歯１３２ａが窓１５０から出てスプール１４０の上面の下で回転する。このように解放スリーブ１３０を回転させると、図１２に示すように、第２の歯１３２ｂが駆動タブ１７４の反対側の窓１５０内に向かって回転する。
【００４９】
[0065]駆動タブ１７４とスプールの窓１５０の前縁部１５２ａとの間での接触により、ノブ１７０とスプール１４０との間で回転力が伝達される。したがって、ノブ１７０の締め付け方向への回転により、スプールは締め付け方向に同様に回転し、これにより、引張部材がスプールの環状チャネル１４４の周りに巻き付けられる。図示のように、本実施形態は、３つの駆動タブ１７４、窓１５０、および第１の歯１３２ａを含むが、より多くのまたはより少ないこれらのコンポーネントを使用してもよい。いくつかの実施形態では、解放スリーブ１３０は第１の歯１３２ａを含まず、代わりに、コイルばね１３４およびタング１３６を介して回転力が解放スリーブ１３０に伝達される。
【００５０】
[0066]図１３に示されるように、矢印Ｂで示される反対方向（すなわち、緩む方向）へのノブ１７０の回転により、駆動タブ１７４は窓１５０内で逆回転または反対方向に回転する。本明細書に説明の通り、駆動タブ１７４のこの逆回転により、駆動タブは第２の歯１３２ｂに接触して第２の歯１３２ｂおよび解放スリーブ１３０を緩む方向に回転させ、これにより解放スリーブ１３０はコイルばねのタング１３６を回転させ、コイルばね１３４の直径を開いたり拡大したりする。駆動タブ１７４の回転は、駆動タブ１７４が窓の第２の縁部１５２ｂに接触するまで、第２の歯１３２ｂを窓１５０からスプール１４０の上面の下に押し出す。第１の歯１３２ａは、図示の通り、窓内で同時に回転する。このようにして、ノブ１７０は緩む方向に回転可能であり、解放スリーブ１３０と係合し、それにより下部ハブ１２２の周りのコイルばね１３４の摩擦係合を減少させ、これにより、スプール１４０、上部ハブ１２６、およびコイルばね１３４が緩む方向に回転し、これにより、スプールの環状チャネル１４４から引張部材を巻き戻すことにより、引張部材の張力が減少する。
引張部材の張力、および／または第２の縁部１５２ｂを押す駆動タブ１７４は、スプール１４０を緩む方向に回転させることができる。
【００５１】
[0067]駆動タブ１７４は、第１の縁部１５２ａと第２の縁部１５２ｇとの間の窓１５０内で回転可能であるため、ノブ１７０は、スプール１４０と係合してスプール１４０を締め付け方向または緩む方向に回転させる前に、スプール１４０に対してある程度回転する。いくつかの実施形態では、ノブ１７０は、スプールに係合する前にスプール１４０に対して３〜２０度回転することができるが、５〜１０度の間の回転がより一般的である。スプール１４０の周りのノブ１７０の相対的回転は、駆動タブ１７４が第２の縁部１５２ｂに接触する前に第２の歯１３２ｂに確実に接触するために重要である。これにより、解放スリーブ１３０がスプール１４０に対して回転し、上部ハブ１２６および下部ハブ１２２に対して回転することができ、これにより、前述の通り、コイルばね１３４が開き、コイルばね１３４と下部ハブ１２２の摩擦係合が減少する。
【００５２】
[0068]駆動タブ１７４が、同時にまたはほぼ同時に、第２の歯１３２ｂおよび第２の縁部１５２ｂに接触すると、コイルばね１３４は十分に開かず、下部ハブ１２２と摩擦係合したままになる。コイルばね１３４と下部ハブ１２２のこの摩擦係合は、ユーザが引張部材を緩めるために相当な力をかけることを必要とし、および／またはシステムがロック、ジャム、またはそうでなければ故障しているという感覚を与えることができる。したがって、窓１５０および駆動タブ１７４に対する解放スリーブの歯１３２ａおよび１３２ｂの適切な向きを維持することは、より一貫した快適なユーザ体験を提供するために非常に望ましい。コイルばね１３４を上部ハブ１２６に固定し、タング１３６を解放スリーブ１３０に直接挿入する上記のアプローチは、上部ハブ１２６、コイルばね１３４、解放スリーブ１３０、およびスプール１４０の適切な向きを確実に維持するのに役立ち、これにより、リールシステム１００のより均一で一貫した感触および動作を提供する。
【００５３】
[0069]図２６〜図３０を簡単に参照すると、コイルばね１８２と摩擦係合する単一のハブ１８０を含む摩擦ベースの荷重保持機構の代替の実施形態が示されている。ハブ１８０およびコイルばね１８２は、スプール１４０の開口部またはチャネル１４２内に同軸に整列して配置されるように構成される。ハブ１８０は、ハブ１８０をハウジング１０２に固定する軸方向に延びる歯１２４を含む。コイルばね１８２は、図３０に示すように、スプール１４０の下端部のチャネル１４１内に配置されることによりスプール１４０と結合するように構成されたＵ字形タング１８４を含む。Ｕ字形タング１８４は、ハブ１８０の上端部がスプール１４０と係合する軸方向に延びる歯を含む必要性を排除し、この設計は、本明細書で説明される上部ハブ１２６で採用されてもよい。タング１８４はまた、図２６〜３０に示されるＵ字形以外の形状を有してもよい。スプール１４０は、ハブ１８０の軸方向に延びる歯１２４とハブ１８０のタング１８４との係合を介してハウジング１０２に固定される。
【００５４】
[0070]図２７は、単一のハブ１８０の外面の周りに巻かれたコイルばね１８２を示す。本明細書で説明されるように、コイルばね１８２は、ハブ１８０の周りで収縮するように設計され、それにより、ハブ１８０と摩擦係合して、ハウジング１０２内のスプール１４０の不要な回転を防止する。コイルばね１８２とハブ１８０との摩擦係合は、摩擦ベースの荷重保持機構の荷重保持の特性または機能を提供する。具体的には、ハブ１８０の周りのコイルばね１８２の収縮により、ばね１８２がハブ１８０の周りにロックまたは固定され、これにより、スプール１４０がハブ１８０に固定されているため、スプール１４０がハウジング１０２に対して適所にロックまたは固定される。したがって、ハウジング１０２内のスプール１４０の不要な回転が防止される。
【００５５】
[0071]ノブ１７０、スプール１４０、およびコイルばね１８２は、ノブ１７０が締め付け方向（例えば、図１２の矢印Ａ）に回転すると、スプール１４０およびコイルばね１８２が、ハウジング１０２の周りの適所に固定されているハブ１８０の周りを回転できるように設計されている。スプール１４０およびコイルばね１８２をハブ１８０の周りで回転可能にするために、ノブ１７０は、スプール１４０の対応する凹部１４３および１４５内に配置された軸方向に延びる突起１７１および１７５を含む。軸方向に延びる突起１７１および１７５は、スプール１４０の対応する凹部１４３および１４５と接触して係合し、ユーザからノブ１７０に加えられる回転力を伝達する。回転力により、スプール１４０はハブ１８０の周りで回転する。コイルばね１８２は、Ｕ字形タング１８４とスプール１４０との結合により、ハブ１８０の周りを回転することができる。具体的には、スプール１４０が締め付け方向に回転すると、スプール１４０の回転が回転力をＵ字形タング１８４に伝達し、これによりコイルばね１８２の直径が拡大し、コイルばね１８４とハブ１８０の摩擦係合がコイルばね１８２のハブ１８０周りの回転が可能になる点まで減少する。ノブ１７０の締め付け方向の回転を止めると、コイルばね１８２はハブ１８０と直ちに再係合し、これにより、スプール１４０はハウジング１０２に対して適所にロックまたは固定される。
【００５６】
[0072]ノブ１７０、スプール１４０、およびコイルばね１８２は、ノブ１７０が緩む方向（例えば、図１３の矢印Ｂ）に回転すると、スプール１４０およびコイルばね１８２も、ハウジング１０２の周りの適所に固定されているハブ１８０の周りを回転できるように設計されている。ノブは、ノブ１７０が緩む方向に回転したとき、コイルばね１８２の上部タング１８６と接触して係合するように構成された解放突起１７９を含む。解放突起１７９と上部タング１８６との係合は、回転力を上部タング１８６に伝達し、これにより、コイルばね１８２の直径が拡大し、コイルばね１８２とハブ１８０との摩擦係合がハブ１８０の周りのコイルばね１８２の回転が可能になる点まで減少する。コイルばね１８２とハブ１８０との摩擦係合が減少するため、引張部材の張力、および／またはノブ１７０にかかる回転力により、スプール１４０が緩む方向に回転する。ノブ１７０の緩む方向の回転を止めると、コイルばね１８２は直ちにハブ１８０と再係合し、これにより、スプール１４０はハウジング１０２に対して適所にロックまたは固定される。
【００５７】
[0073]リール式張力装置を用いて物品を組み立てる方法は、リール式張力装置を提供することを含んでもよく、リール式張力装置は、ハウジングと、ハウジング内に回転可能に配置されたスプールと、ハウジング内でスプールを回転させるため、スプールと動作可能に結合されるノブ部材と、ハウジング内のスプールの不要な回転を防ぐために円筒形部材と摩擦係合するばねを含む荷重保持機構とを含む。ノブ部材は、荷重保持機構と動作可能に結合されるため、ノブ部材の第１の動作により、ばねと円筒形部材との摩擦係合が減少し、ハウジング内でスプールの回転が可能となり引張部材がスプールに巻き付けられ、そしてノブ部材の第２の動作により、ばねと円筒形部材の摩擦係合が減少し、ハウジング内でのスプールの回転が可能となり引張部材がスプールの周りから巻き戻される。この方法はまた、リール式張力装置部材を物品と結合することを含んでもよい。
【００５８】
[0074]ばねは、円筒形ハブ部材の外側に巻き付けられたコイルばねであってもよく、コイルばねは、ハブ部材の外面の周りに収縮することによりハブ部材と摩擦係合する。いくつかの実施形態では、ハブ部材は、スプールに固定される上部ハブ部材と、ハウジングに固定される下部ハブ部材とを含んでもよい。上部ハブ部材は、下部ハブ部材の直径よりわずかに大きい直径を有してもよく、下部ハブ部材と接合する上部ハブ部材の遠位端は先細であってもよい。代替的または追加的に、ハブ部材は内側ハブ部材であってもよく、リール式張力装置はまた、内側ハブ部材上に配置され、ノブ部材およびばねと動作可能に結合される外側ハブ部材を含んでもよく、ノブ部材を緩む方向に回転させると、ばねと内側ハブ部材の摩擦係合が減少する。外側ハブ部材は、ノブ部材が緩む方向に回転すると外側ハブが緩む方向に回転するように、ノブ部材と結合される。ばねは、外側ハブ部材と結合するタングを含んでもよく、外側ハブ部材が緩む方向に回転するとばねの直径が拡大し、それによりばねと内側ハブ部材の摩擦係合が減少する。他の実施形態では、円筒形部材は円筒形チャネルまたは凹部を含むことができ、ばねは、円筒形チャネルまたは凹部の内壁と摩擦係合するように半径方向外側に付勢されるコイルばねであってもよい。
【００５９】
[0075]摩擦ベースの荷重保持機構１２０は、典型的には、静音機構であり、これは、摩擦ベースの荷重保持機構１２０が本質的に可聴音を生成しないか、生成される可聴ノイズの量を最小化することを意味する。本明細書で使用される非検出可能／検出不可能な可聴ノイズの説明は、ＭＩＬ−ＳＴＤ−１４７４Ｄ、Ｒｅｑ．２、２０〜３２ページに概説されているものよりも低いノイズレベルを指し、その全開示は参照により本明細書に組み込まれる。場合によっては、リールシステム１００の使用に関する可聴フィードバックを提供することが望ましい場合がある。可聴フィードバックを提供するために、リールシステム１００は、リールシステム１００が作動するときに可聴クリック音を発生するつめシステムなどの別個の可聴機構を含んでもよい。図１４は、可聴クリック音を生成するために使用できるシステムのコンポーネントのアセンブリを示し、図４は可聴機構のつめ部材１６０を示す。つめ部材１６０は、細長い本体、第１の端部１６２、および第２の端部１６４を含む。第１の端部１６２は、スプール１４０の上面と結合するように構成され、第２の端部１６４は、ハウジング１０２の内部領域１１６に位置する歯１１２と相互作用するように構成される。
【００６０】
[0076]図１４に示すように、つめ部材１６０の第１の端部１６２は、スプール１４０の結合スロットまたは凹部１５６内に配置される。本実施形態では、つめ部材１６０の第１の端部１６２を曲げてスプール１４０のスロットまたは凹部１５６内にフィットするループを形成するが、つめ部材の第１の端部１６２をスプールに取り付ける他の方法を採用してもよい。ハウジング１０２内に配置されると、つめ部材１６０は、第１の端部１６２と第２の端部１６４との間で曲がり屈曲する。つめ部材１６０の細長い本体は、スプール１４０の中央部分１５９の半径方向外側に配置され、中央部分１５９の周りで曲げられる。いくつかの実施形態では、つめ部材１６０は、スプール１４０の外側突出部１５７の半径方向内側に配置されてもよい。外側突出部１５７は、リールシステム１００の組み立て中につめ部材１６０を所定の位置に保持し、および／または所望の可聴音を生成するために、つめ部材１６０の柔軟性に影響を与えてもよい。
【００６１】
[0077]つめ部材１６０の第２の端部１６４は、ハウジング１０２の内面および歯１１２に接触する。第２の端部１６４は、第２の端部１６４がハウジング１０２の内面の周りを容易に摺動し、歯１１２の内外に偏向するように成形されてもよい。一実施形態では、つめ部材の第２の端部１６４は、Ｕ字形を有し、これにより、第２の端部１６４は、ハウジングの内面の周りを容易に摺動でき、このような動きを邪魔したり妨げたりするつめ部材１６０の第２の端部１６４と歯１１２との係合を最小限に抑える。従来のつめとは異なり、つめ部材１６０の第２の端部１６４は、ハウジング１０２内でのスプール１４０の回転を制限するかまたはかなり抵抗するようには設計されない。
【００６２】
[0078]スプール１４０がハウジング１０２内で締め付ける方向または緩める方向に回転すると、第２の端部１６４は、ハウジング１０２の隣接する歯１１２の内外に偏向される。第２の端部１６４は、第２の端部１６４が跳ねるか跳ね返ってハウジング１０２の各歯１１２と係合するときに、可聴クリック音を生成する。スプール１４０が一方向に回転すると、つめ部材１６０に張力がかかり、第２の端部１６４がハウジング１０２の各歯１１２に引き入れられたり引き出されたりする。スプール１４０が反対方向に回転すると、つめ部材１６０が圧縮され、第２の端部１６４が各歯１１２に押し入れられたり、押し出されたりする。このようにして、リールシステム１００が引張部材に張力をかけたり緩めたりの両方を行うように動作するとき、可聴クリック感が生成される。
【００６３】
[0079]つめ部材１６０の第２の端部１６４を、スプールの回転方向に関係なく本質的に均一な音を生成するように構成してもよく、またはスプール１４０が締め付ける方向に回転する場合と緩める方向に回転する場合とで異なる音を生成するように構成してもよい。例えば、第２の端部１６４は、各歯１１２と係合するように引っ張られたときと、各歯と係合するように押されたときとでわずかに異なる応答をするように構成され、それにより異なる可聴音を生成することができる。つめ部材１６０の厚さ、つめ部材１６０の長さ、および／またはシステムで使用される歯の数を選択することにより、音を調整することもできる。いくつかの実施形態では、スプール１４０は、約２０〜４０個の歯、より一般的には約２５〜３５個の歯を含むことができる。特定の実施形態では、スプール１４０は３２個の歯を含むことができる。リールシステム１００はまた、複数のつめ部材（例えば、２つ以上）を実装することができ、各つめ部材は引張部材を引っ張る間または緩める間に使用される。他の実施形態では、可聴機構は、可聴音を生成するために係合する戻り止め、またはスプライン歯と相互作用する線形つめビームを含んでもよい。
【００６４】
[0080]リール式張力装置を構成する方法は、リール式張力装置を提供することを含むことができ、リール式張力装置は、ハウジングと、ハウジング内に回転可能に配置されたスプールと、スプールに動作可能に結合されてスプールをハウジング内で第１の方向に回転させて、引張部材をスプールの周りに巻き付けるノブ部材と、スプールと結合され、ハウジング内でスプールの第１の方向への回転を可能とし、ハウジング内でスプールの第２の方向への回転を防止し、引張部材がスプールの周りから巻き戻されるのを防止するように構成された荷重保持機構とを含む。
本方法は、可聴コンポーネントをリール式張力装置に結合することも含み、可聴コンポーネントは、ノブ部材の動作に応答して可聴ノイズを生成し、引張部材の調整を知らせるように構成される。本方法は、可聴コンポーネントによって生成される可聴ノイズを調整する可聴コンポーネントを調整することも含み得る。
【００６５】
[0081]荷重保持機構は、人間の耳で検出可能な可聴ノイズを生成しない場合がある。可聴コンポーネントは、引張部材に張力をかけることに応答して可聴ノイズを生成し、引張部材を緩めることに応答して可聴ノイズを生成するように構成されてもよい。引張部材に張力をかけることに応答して生成される可聴ノイズは、引張部材を緩めることに応答する可聴ノイズとは異なってもよい。可聴コンポーネントは、ハウジングと係合して可聴ノイズを生成するつめ部材またはビームを含んでもよい。つめ部材またはビームは、引張部材またはノブ部材を介してかなりの回転力がスプールに加えられたときに、ハウジング内のスプールの回転を防ぐことができない場合がある。リール式張力装置の荷重保持機構は、つめ部材またはビームを含まなくてもよい。
【００６６】
[0082]場合によっては、リールシステム１００のコンポーネントを、布地がコンポーネントと一体的に形成されるか、またはコンポーネント内に一体化されるように、布地材料上に直接形成することが有益な場合がある。いくつかの実施形態では、布地材料は、コンポーネントを靴に取り付けるなど、コンポーネントを物品に取り付けることを容易にし得る。特定の実施形態において、コンポーネントは、布地材料が金型またはダイ内に配置され、ポリマー材料が布地材料の上または布地材料を介して注入されるインサート成形によって布地材料上に形成されてもよい。リールシステムのコンポーネントは、上端部と、下端部と、およびリール式張力システムの第２のコンポーネントが配置可能な内部空洞とを含む第１のコンポーネントであってもよい。第１のコンポーネントの特定の例は、リールシステムのハウジングと結合するように構成されたベース部材またはバイオネットである。第１のコンポーネントの別の例は、本明細書に記載のシステムのスプールおよび他のコンポーネントと結合するように構成されたハウジングである。第１のコンポーネントの更に別の例は、物品の経路の周りに引張部材をガイドするためにリールシステムの引張部材を受け入れるように構成された内部空洞を含むガイド部材である。
【００６７】
[0083]コンポーネントが布地材料上に形成されるとき、布地材料は、コンポーネントの下端部近くに配置され、コンポーネントの外周の少なくとも一部から、より一般的にはコンポーネントの外周全体の周りに横方向に延びてもよい。布地材料は、コンポーネントのポリマー材料（すなわち、熱可塑性または熱硬化性材料）を布地材料を介して注入することにより、第１のコンポーネントと一体的に結合することができるので、コンポーネントの少なくとも一部のポリマー材料は、布地材料の底面の軸方向下方および布地材料の上面の軸方向上方に延びるポリマー材料で、布地材料を介して飽和または含浸する。
いくつかの実施形態では、コンポーネントの下端部全体が布地材料の底面の軸方向下方および布地材料の上面の軸方向上方に延びるように、ポリマー材料は布地材料を介して飽和または含浸させてもよい。このような実施形態では、コンポーネントの下端部のポリマー材料は、布地材料の底面に環状リングを形成してもよい。他の実施形態では、下端部の一部のみが布地材料の上下に軸方向に延び、下端部の残りの部分は布地材料の片側のみに位置してもよい。
【００６８】
[0084]ここで図１５、図１７〜図１９、および図２３〜図２５を参照すると、布地２００などの織布材料片に取り付けられたベース部材２２０が示されている。布地は、ポリマーベースの布地など、本質的にどんな布地でもよい。特定の実施形態では、布地は５００デニールのポリエステル布地であってもよい。図１７は、布地２００に取り付けられていないベース部材２２０を示し、図１８は、布地２００に取り付けられたベース部材２２０の斜視図を示す。図１８に示すように、布地２００は、ベース部材２２０が布地２００に取り付けられた後、ベース部材２２０の底面と実質的に同一平面にある。布地２００は、ベース部材２２０の外周の少なくとも一部から、より一般的には、ベース部材２２０の外周全体の周りに横方向に延びる。図１５および図２４は、布地２００およびベース部材２２０の底面図を示しており、ベース部材２２０および布地２００の代替の取付け構成を示す。図２３は、布地２００上にベース部材２２０を形成する前の布地２００の実施形態の底面図を示す。図１９は、取り付けられたベース部材２２０および布地２００の実施形態の断面図を示す。
【００６９】
[0085]例示的な実施形態では、ベース部材２２０は、布地２００に直接注入される。これは、布地２００の底面を介してベース部材２２０の材料をインサート成形または注入することにより達成され、その結果、非常に高い接着強度が得られ、布地２００からのベース部材２２０の分離が防止または最小化される。例えば、布地２００の底面を介してベース部材の材料を直接注入すると、材料が分離し始める前に５０Ｋｇの力を受けることが可能になる場合がある。ベース部材２２０の材料は、通常、布地２００を介して注入されるポリマー材料（すなわち、熱可塑性または熱硬化性材料）であるので、ベース部材２２０が形成されるとき、布地２００はベース部材２２０の少なくとも一部内に配置されるため、ポリマー材料は布地２００の両側に配置される。ベース部材２２０内の布地２００の配置を図１５、図１９、および図２４に示す。
【００７０】
[0086]図１７に示されるように、ベース部材２２０は、図１６に示されるようにハウジング１０２を受け入れて解放可能に結合するように構成された内部空洞を含むシステムのコンポーネントであってもよい。他の実施形態では、ベース部材は、図１６に示されるようなハウジングコンポーネントであってもよく、布地２００に直接注入され、布地２００と一体に形成され得る。このような実施形態では、別個のベース部材２２０およびハウジング１０２の必要性を排除することができ、これらのコンポーネントを布地２００と一体的に結合される単一のコンポーネントに一体化することができる。ハウジングコンポーネントは、引張部材またはひもが配置されるレースポート１０４を含んでもよい。
【００７１】
[0087]場合によっては、ベース部材の材料を布地２００に注入して、布地２００内の材料の飽和または一体化を変化させてもよい。布地２００内のベース部材の材料の飽和または一体化という用語は、注入プロセス後に布地２００の内部に配置されたままであるベース部材の材料の量を指す。ベース部材の材料が布地２００内で高度に飽和／一体化されると、注入されたベース部材材料は、布地２００の両側に、および布地の内部を介して本質的に配置される。ベース部材の材料が布地２００内で飽和／一体化が少ない場合、注入されたベース部材材料は、布地２００を完全に貫通しないか、または布地２００の片側に本質的に配置される。布地は、布地２００内でベース部材の材料の飽和／一体化が少ない領域でより見やすくなる。特定の実施形態では、ベース部材の材料は、ガラス充填ポリプロピレンおよび／またはコポリエステルである。
【００７２】
[0088]一実施形態では、ベース部材の材料の飽和／一体化は、ベース部材のセグメント間または部分間で異なるため、ベース部材の材料は、ベース部材の一方のセグメントまたは部分では布地２００を介して高度に飽和／一体化され、ベース部材の他方のセグメントまたは部分では布地２００を介した飽和／一体化が少ない。
このような実施形態では、布地２００内のベース部材の材料の変化は、図１５および図１９のクロスハッチングまたは陰影領域によって示される。クロスハッチングまたは陰影領域は、ベース部材の材料が布地２００により飽和または一体化されている布地２００の部分を表す。ベース部材の材料がこれらの領域により集中しており、布地２００の底面から見やすいため、これらの領域は、暗く見えるか、わずかに異なる色に見える場合がある。ベース部材の材料の飽和／一体化の変化は、２つの材料間の結合または接着強度の増加、ベース部材の強度の増加など、望ましい特性を提供するように設計できる。
【００７３】
[0089]布地２００とベース部材２２０との間の結合または接着の強度は、ベース部材の材料が布地２００内で高度に飽和／一体化されると、実質的に増加することができる。しかしながら、ベース部材内の材料がより少ないために、ベース部材の材料が布地２００内で高度に飽和／一体化されると、ベース部材２２０自体の強度が低下する可能性がある。ベース部材２２０の強度の低下は、ベース部材２２０がハウジング１０２などのシステムの他のコンポーネントと相互作用する方法に悪影響を与える可能性がある。例えば、前部タブ２２２の反対側の壁２２４は、ベース部材２２０のサイズおよび／または重量を低減するために、材料のより薄い部分である可能性がある。ベース部材２２０が壁２２４の近くで薄すぎる場合、壁２２４は、ハウジング１０２によって壁２２４に加えられる圧力または力から亀裂が発生または破損する可能性がある。したがって、布地２００内のベース部材の材料が飽和しているためにこれらの材料間の結合／接着の増加が達成される一方で、壁２２４が比較的強く補強されたままになるように、ベース部材２２０および布地２００を構築することが望ましい場合がある。
【００７４】
[0090]場合によっては、ベース部材２２０は、前面タブ２２２の近くでより大きな外力を受ける可能性がある。外力は、ベース部材２２０を布地２００から剥がすか、または剥がす原因となり、したがって、前部タブ２２２付近の結合／接着強度の増加が望ましい場合がある。壁２２４は、主にベース部材２２０をハウジング１０２と結合するために使用される場合があり、したがって、壁２２４に隣接するベース部材２２０を補強または強化することがより望ましい場合がある。前部タブ２２２の近くでのこの増加した結合／接着強度、および壁２２４の近くでのベース部材２２０の一層の強化は、図１５および図１９に示すように、前面タブ２２２の近くのベース部材の材料の飽和／一体化を増加させる一方で、壁２２４の近くでのベース部材の材料の飽和／一体化を減少させることにより達成される可能性がある。
【００７５】
[0091]一実施形態では、布地２００内のベース部材の材料の飽和／一体化の量は、布地２００を介してベース部材の材料を注入する注入孔２２６の配置に基づいて制御することができる。ベース部材の材料は、注入孔２２６の周りの布地２００に、より完全に飽和／一体化する可能性があり、したがって、注入孔２２６は、結合／接着強度を高めることが望まれるベース部材２２０の領域に隣接して配置してもよく、コンポーネントの強度を高めることが望まれる領域には配置しなくてもよい。図１５および図１９は、クロスハッチングまたは陰影が示され、典型的にはベース部材の材料および布地２００の飽和／一体化の増加が望まれる前部タブ２２２の近くに配置された注入孔２２６を示す。このようにして、コンポーネントの完全性を損なうことなく、所望の強度の設計された組合せを提供するように孔パターンを設計することができる。
【００７６】
[0092]別の実施形態では、ベース部材の材料が布地２００を通じて高度に飽和／一体化されるか、または布地２００を通じてわずかに飽和／一体化されるように、ベース部材の材料の飽和／一体化はベース部材に対して比較的均一であってもよい。図２４は、布地を通るポリマー材料の均一な飽和／一体化を示す布地２００の底面図を示す。図２４では、ベース部材の材料は、布地２００を介して高度に飽和／一体化されており、その結果、布地２００は、ベース部材２２０の本質的に下端部全体のポリマー材料内に配置される。ベース部材２２０のポリマー材料内に配置される布地２００の説明は、ポリマー材料は布地２００の両側に配置される、または位置づけられることを意味する。ベース部材２２０は、図１７に示すように本質的に円筒形の構成（すなわち、円形下端部および中空内部）を有するので、布地２００の両側のポリマー材料の配置により、図２４に示すように、布地２００の底面上に環状リング２２３が形成される。ベース部材２２０の下端部が異なる構成（例えば、平面、楕円形など）を有する場合、布地２００の底面に形成される形状は、ベース部材２２０の下端部の形状に対応するであろう。
【００７７】
[0093]図２５に示すように、いくつかの実施形態では、ベース部材２２０は、１つ以上のより薄い材料セクション２２５を含む。布地２００は、ベース部材の材料内に配置される、または位置づけられるため、布地２００は、ベース部材２２０のより薄い材料セクション２２５の上面で見ることができる。図２３は、ベース部材の材料が布地２００を介して注入される前の布地２００の図を示す。布地２００は、布地２００を通るポリマー材料の飽和／一体化を促進して図２４に示す環状リング２２３を形成するように配置された注入孔２２６を含む。図２３はまた、布地２００が、布地２００の本体から横方向外側に延びる複数のタブ２４０を含むことを示している。１つ以上のタブ２４０は、図示のように開口部２４１を含んでもよい。
【００７８】
[0094]布地２００内の材料飽和／一体化の変化はベース部材２２０に関して示されているが、引張部材のためのガイド部材およびその他のコンポーネントなどのシステムの他のコンポーネントも同様に、布地に直接注入できることを理解すべきである。したがって、上記の一般的な説明は、任意のリールシステムのコンポーネントに関するものであり、特にベース部材に関するものではない。
【００７９】
[0095]リール式張力システムのコンポーネントを形成する方法は、布地材料を提供すること、および布地材料をダイまたは金型内に配置することを含み得る。この方法はまた、ポリマー材料が、リール式張力システムの第１のコンポーネントの形状を画定するダイまたは金型内の空隙または空間を埋めるように、布地材料を介してポリマー材料を注入することを含む。この方法はまた、ポリマー材料が硬化して、リール式張力システムの第１のコンポーネントを形成するように、ポリマー材料を冷却することを含んでもよい。第１のコンポーネントの少なくとも一部のポリマー材料が、布地材料を介して飽和または含浸しているので、第１のコンポーネントのポリマー材料は、布地材料の底面の軸方向下方および布地材料の上面の軸方向上方に延びる。布地材料は、ポリマー材料がダイまたは金型の下端部からダイまたは金型の上端部に向かって布地材料を介して注入されるように、ダイまたは金型の下端部内に配置されてもよい。ダイまたは金型の下端部は、第１のコンポーネントの下端部に対応してもよい。ポリマー材料は、第１のコンポーネントの下端部全体のポリマー材料を布地材料を介して飽和または含浸するように、布地材料を介して注入され冷却される。このような場合、底部全体のポリマー材料は、布地材料の底面の軸方向下方および布地材料の上面の軸方向上方に延びてもよい。ポリマー材料は、ポリマー材料が布地材料の底面の上に環状リングを形成するように、布地材料を介して注入され冷却される。ポリマー材料は、ガラス充填ポリプロピレン材料、コポリエステル材料、またはそれらの組合せを含むか、またはそれらで構成されてもよい。ポリマー材料は、ポリマー材料を第１のコンポーネントのかなり薄いセクションまたはセグメントの上面から見えるように、布地材料を介して注入され冷却される。
【００８０】
[0096]次に図２０を参照すると、スプール１４０およびハウジング１０２に取り付けられた停止コードまたは機構２３０が示されている。停止コード２３０は、環状チャネル１４４とは別個の停止コードチャネル２３２の周りに巻かれている。引張部材が環状チャネル１４４から巻き戻されると、停止コード２３０が停止コードチャネル２３２の周りに巻き付くように、停止コード２３０は、停止コードチャネル２３２の周りに巻き付けられる。停止コード２３０および停止コードチャネル２３２の長さおよび配置は、引張部材が環状チャネル１４４から完全にまたはほとんど巻き戻されると、停止コード２３０が停止コードチャネル２３２にほぼまたは完全に巻き付き、これにより、ハウジング１０２の内部領域１１６内でのスプール１４０の更なる回転が防止される。このようにして、停止コード２３０は、環状チャネル１４４の周りの引張部材の逆巻き、すなわち、スプールが緩む方向に回転するときの環状チャネル１４４の周りの引張部材の巻き付けを防ぐ。停止コードの機能および配置は、２０１３年６月２１日に出願され、「リール式レーシングシステム」と題された米国特許第９，２５９，０５６号に更に記載されており、その開示全体が参照により本明細書に組み込まれる。
【００８１】
[0097]停止コード２３０をリールシステム１００に取り付けるために、停止コード２３０の近位端は、ハウジングの結合開口部１０８を介して挿入され、結び目は、停止コード２３０の近位端に結び付けられる。結び目は、結合開口部１０８と係合して、停止コード２３０の近位端が結合開口部１０８を通って引っ張られるのを防ぐ。停止コード２３０の遠位端は、スプール１４０の一対の開口部（図示せず）を介して同様に挿入され、結び目は停止コード２３０の遠位端に結び付けられる。結び目は、停止コード２３０の遠位端がスプール１４０を通って引っ張られるのを防ぐために、最上部の開口部（図示せず）と係合する。停止コード２３０の遠位端の結び目がスプールの開口部と係合すると、結び目はスプール１４０のスロット１０９内に配置される。場合によっては、停止コード２３０の小さな部分がスプールの環状チャネル１４４を横切って延びる。そのような場合、引張部材（図示せず）は停止コード２３０の周りに巻き付けられる。
【００８２】
[0098]図２１〜図２２は、コイルばね４００および解放ハブアセンブリの代替実施形態を示す。具体的には、コイルばね４００は、上部ハブ３２６および下部ハブ３２２内に配置されるように構成される。コイルばね４００の外径は、上部ハブ３２６および下部ハブ３２２の内径とほぼ同じサイズかわずかに大きいので、ばね４００は外側に曲がって上部ハブ３２６および下部ハブ３２２と摩擦係合し、本明細書で説明した方法と同様の方法で２つのハブを一緒にロックする。図２２に示すように、下部ハブ３２２は軸方向に延びる歯３２４を介してリールシステム５００のハウジングに固定され、一方、上部ハブ３２６は軸方向に延びる歯３２８を介してリールシステム５００のスプールに固定される。上部ハブ３２６と下部ハブ３２２を一緒にロックすると、上部ハブ３２６が下部ハブ３２２に対して回転するのが防止され、これにより、スプールがハウジングに対して適所にロックされる。
【００８３】
[0099]下部ハブ３２２から上部ハブ３２６をロック解除するために、コイルばね４００の直径が縮小される。コイルばね４００は、半径方向内側に延び、解放スリーブ（図示せず）またはノブのコンポーネントと係合するタング４０２を含む。ノブを緩める方向に回転させると、解放スリーブまたはノブのコンポーネントを介してタング４０２が係合し、これにより、コイルばねが半径方向内側に収縮または移動する方向（すなわち、図２１に示されているばねの反時計回り方向）に、コイルばね４００が巻き取られる。このようにコイルばね４００が移動すると、コイルばねの外径は、上部ハブ３２６が下部ハブ３２２からロック解除され、下部ハブ３２２に対して回転できる点まで減少し、スプールがハウジング内で緩む方向に回転できるようになる。
【００８４】
[0100]上部ハブ３２６および下部ハブ３２２は、所望に応じてコイルばね４００が他方のハブに固定されたまま一方のハブの周りで回転できることを保証するために、異なるサイズの内径を有してもよく、異なる材料で作られてもよく、および／または異なる表面仕上げを有してもよい。解放スリーブが使用される場合、解放スリーブは、解放スリーブとコイルばね４００の摩擦係合を最小限にする方法で、コイルばね４００の内部に完全にフィットする、円筒形スリーブであってもよい。加えて、タング４０２は上部ハブ３２６の外端部の近くに配置されて示されているが、他の実施形態では、タング４０２は下部ハブ３２２の外端に隣接して配置されてもよい。
【００８５】
[0101]様々なコンポーネントのいくつかの実施形態および配置を本明細書で説明したが、様々な実施形態で説明した様々なコンポーネントおよび／またはコンポーネントの組合せを修正、再配置、変更、調整などできることを理解すべきである。例えば、説明された実施形態のいずれかのコンポーネントの配置は調整または再配置され、および／または現在は説明されていないまたは使用されていない実施形態のいずれかで、説明された様々なコンポーネントを使用することができる。したがって、様々な実施形態は、本明細書で説明される特定の配置および／またはコンポーネント構造に限定されないことを理解すべきである。
【００８６】
[0102]加えて、本明細書に開示された特徴および要素の実行可能な組合せも開示されているとみなされることを理解すべきである。更に、本開示の実施形態に関して特徴が議論されないときはいつでも、当業者には、本発明のいくつかの実施形態がそのような特徴を暗黙的かつ具体的に除外し、それによって否定的請求制限に対する支持を提供できることを注意する。
【００８７】
[0103]いくつかの実施形態を説明したが、当業者は、本発明の趣旨から逸脱することなく、様々な修正、代替構成、および同等物を使用できることを認識するであろう。更に、本発明を不必要に不明瞭にすることを避けるために、多くの周知のプロセスおよび要素は説明されていない。したがって、上記の説明は、本発明の範囲を限定するものとして解釈されるべきではない。
【００８８】
[0104]値の範囲が提供される場合、その範囲の上限値と下限値の間の、文脈が特に明確に指示しない限り、下限値の単位の１０分の１までの各介入値も具体的に開示されることが理解される。規定の範囲内の規定値または介入値との間の、およびその規定範囲内の他の規定値または介入値との間の、それぞれのより小さい範囲が包含される。これらのより小さい範囲の上限値および下限値は、独立して範囲に含まれるか除外されてもよく、いずれかの制限値、両方のどちらでもない制限値、または両方の制限値がより小さい範囲に含まれる各範囲も、規定の範囲内の具体的に除外された制限値を条件として、本発明に含まれる。規定の範囲に制限値の一方または両方が含まれる場合、含まれる制限値のいずれかまたは両方を除外する範囲も含まれる。
【００８９】
[0105]本明細書および添付の特許請求の範囲で使用されているように、単数形「ａ」、「ａｎ」、および「ｔｈｅ」は、文脈からそうでないことが明確に示されない限り、複数の指示対象を含む。したがって、例えば、「ａ  ｐｒｏｃｅｓｓ」への言及には複数のそのようなプロセスが含まれ、「ｔｈｅ  ｄｅｖｉｃｅ」への言及には、当業者に知られている１つ以上のデバイスおよびその同等物への言及などが含まれる。
【００９０】
[0106]また、本明細書および添付の特許請求の範囲で使用される「ｃｏｍｐｒｉｓｅ」、「ｃｏｍｐｒｉｓｉｎｇ」、「ｉｎｃｌｕｄｅ」、「ｉｎｃｌｕｄｉｎｇ」、および「ｉｎｃｌｕｄｅｓ」という言葉は、述べられた特徴、整数、コンポーネント、またはステップの存在を指定することを意図しているが、１つ以上の他の機能、整数、コンポーネント、ステップ、行為、またはグループの存在または追加を排除しない。
【図１】
2020510476.tif 000003
【図２】
2020510476.tif 000004
【図３】
2020510476.tif 000005
【図４】
2020510476.tif 000006
【図５】
2020510476.tif 000007
【図６】
2020510476.tif 000008
【図７】
2020510476.tif 000009
【図８】
2020510476.tif 000010
【図９】
2020510476.tif 000011
【図１０】
2020510476.tif 000012
【図１１】
2020510476.tif 000013
【図１２】
2020510476.tif 000014
【図１３】
2020510476.tif 000015
【図１４】
2020510476.tif 000016
【図１５】
2020510476.tif 000017
【図１６】
2020510476.tif 000018
【図１７】
2020510476.tif 000019
【図１８】
2020510476.tif 000020
【図１９】
2020510476.tif 000021
【図２０】
2020510476.tif 000022
【図２１】
2020510476.tif 000023
【図２２】
2020510476.tif 000024
【図２３】
2020510476.tif 000025
【図２４】
2020510476.tif 000026
【図２５】
2020510476.tif 000027
【図２６】
2020510476.tif 000028
【図２７】
2020510476.tif 000029
【図２８】
2020510476.tif 000030
【図２９】
2020510476.tif 000031
【図３０】
2020510476.tif 000032
【国際調査報告】
2020510476.tif 000033
2020510476.tif 000034
2020510476.tif 000035
2020510476.tif 000036
2020510476.tif 000037
2020510476.tif 000038
2020510476.tif 000039
2020510476.tif 000040